(57)【特許請求の範囲】
【請求項１】
データ転送方法であって：
第２ネットワークにおけるアクセス・ネットワーク・デバイスにより、前記第２ネットワークにおける第１フローのフロー情報及び転送情報を、アクセス及びモビリティ管理機能ネットワーク要素から受信するステップであって、前記フロー情報はデータ転送のための前記第１フローを示し、前記転送情報は、前記第１フローを、第１ネットワークにおける第１ベアラに対応するトンネルへ転送するために使用される、ステップ；及び
前記アクセス・ネットワーク・デバイスにより、第１ユーザー・プレーン機能デバイスからフローを受信するステップ；及び
受信した前記フローが前記フロー情報で示される前記第１フローであることに応答して、受信した前記フローを、前記転送情報に基づいて第２ユーザー・プレーン機能デバイスへ送信するステップ；
を含む方法。
【請求項２】
前記第１ベアラに関する情報が、前記アクセス及びモビリティ管理機能ネットワーク要素からセッション管理ネットワーク要素へ送信され、前記セッション管理ネットワーク要素が、前記フロー情報及び前記転送情報を前記アクセス及びモビリティ管理機能ネットワーク要素へ送信し、前記第１ベアラに関する情報は、サービング・ゲートウェイのアドレスと、ダウンリンク・データを転送するために使用される前記サービング・ゲートウェイのトンネル終点識別子（ＴＥＩＤ）とを含む、請求項１に記載の方法。
【請求項３】
前記転送情報は、データ転送のためのコア・ネットワーク・トンネル情報を含む、請求項１又は２に記載の方法。
【請求項４】
前記転送情報は、ユーザー・プレーン機能ネットワーク要素により割り当てられる、請求項１−３のうちの何れか１項に記載の方法。
【請求項５】
前記第１ネットワークにおける前記第１ベアラは、４Ｇネットワークにおけるエボルブド・パケット・システム（ＥＰＳ）ベアラであり、前記第２ネットワークにおける前記第１ベアラは、５Ｇネットワークにおけるサービス品質（ＱｏＳ）フローである、請求項１−４のうちの何れか１項に記載の方法。
【請求項６】
前記転送情報はセッションの粒度におけるものである、請求項１−５のうちの何れか１項に記載の方法。
【請求項７】
前記フロー情報は前記第２ネットワークにおける第２フローの識別情報を更に含み、前記転送情報は、前記第１フローを、前記第１ベアラに対応する前記トンネルへ転送するため、及び前記第２フローを、第２ベアラに対応するトンネルへ転送するために使用される、請求項１−６のうちの何れか１項に記載の方法。
【請求項８】
前記方法は更に：
セッション管理機能ネットワーク要素により、データ転送ルールを決定し、前記データ転送ルールを、ユーザー・プレーン機能ネットワーク要素へ送信するステップであって、前記データ転送ルールは、前記第１ベアラに対応する前記トンネルが前記第１フローを転送するために使用されることを示す、ステップ；
を含む請求項１−７のうちの何れか１項に記載の方法。
【請求項９】
データ転送方法であって：
セッション管理機能ネットワーク要素により、第１ネットワークにおける第１ベアラに関する情報を、アクセス及びモビリティ管理機能ネットワーク要素から受信するステップ；及び
前記セッション管理機能ネットワーク要素により、第２ネットワークにおける第１フローのフロー情報及び転送情報を、前記アクセス及びモビリティ管理機能ネットワーク要素へ送信するステップであって、前記フロー情報はデータ転送のための前記第１フローを示し、前記転送情報は、前記第１フローを、前記第１ベアラに対応するトンネルへ転送するために使用される、ステップ；
を含む方法。
【請求項１０】
前記セッション管理機能ネットワーク要素により、前記第１ベアラに関する情報及び関連情報に基づいて前記第１フローを決定するステップであって、前記関連情報は前記第１フロー及び前記第１ベアラの間の関連性を示す、ステップ；
を更に含む請求項９に記載の方法。
【請求項１１】
前記第１ベアラに関する情報は、サービング・ゲートウェイのアドレスと、ダウンリンク・データを転送するために使用される前記サービング・ゲートウェイのトンネル終点識別子（ＴＥＩＤ）とを含み、前記転送情報はデータ転送のためのコア・ネットワーク・トンネル情報を含む、請求項９又は１０に記載の方法。
【請求項１２】
データ転送装置であって：
通信インターフェース；
命令を格納するように構成されたメモリ；及び
前記データ転送装置が請求項１−８のうちの何れか１項に記載の方法を実行するために、前記メモリ内の前記命令を実行するように構成された少なくとも１つのプロセッサ；
を含むデータ転送装置。
【請求項１３】
データ転送装置であって：
通信インターフェース；
命令を格納するように構成されたメモリ；及び
前記データ転送装置が請求項９−１１のうちの何れか１項に記載の方法を実行するために、前記メモリ内の前記命令を実行するように構成された少なくとも１つのプロセッサ；
を含むデータ転送装置。
【請求項１４】
コンピュータにより実行されると、請求項１−１１のうちの何れか１項に記載の前記方法を前記コンピュータに実行させる命令を含むコンピュータ読み取り可能な記憶媒体。
【請求項１５】
データ転送システムであって：
第１ネットワークにおける第１ベアラに関する情報を送信するように構成されたアクセス及びモビリティ管理機能ネットワーク要素；
前記第１ベアラに関する情報を、前記アクセス及びモビリティ管理機能ネットワーク要素から受信し；及び第２ネットワークにおける第１フローのフロー情報及び転送情報を、前記アクセス及びモビリティ管理機能ネットワーク要素へ送信するように構成されたセッション管理機能ネットワーク要素であって、前記フロー情報はデータ転送のための前記第１フローを示し、前記転送情報は、前記第１フローを、前記第１ベアラに対応するトンネルへ転送するために使用される、セッション管理機能ネットワーク要素；及び
前記フロー情報及び前記転送情報を、前記アクセス及びモビリティ管理機能ネットワーク要素から受信し；フローを第１ユーザー・プレーン機能デバイスから受信し；及び受信した前記フローが前記フロー情報で示される前記第１フローであることに応答して、受信した前記フローを、前記転送情報に基づいて第２ユーザー・プレーン機能デバイスへ送信するように構成された、前記第２ネットワークにおけるアクセス・ネットワーク；
を含むデータ転送システム。
【発明の詳細な説明】
【技術分野】
【０００１】
本願はワイヤレス通信技術の分野に関連し、特にデータ転送方法、装置及びシステムに関連する。
【背景技術】
【０００２】
現在、第２世代移動通信技術／第３世代移動通信技術（第２世代／第３世代、２Ｇ／３Ｇ）ネットワークは、多くの分野で広く展開されている。通信技術が急速に発展するにつれて、ＬＴＥ（ロング・ターム・エボリューション、Ｌｏｎｇ  Ｔｅｒｍ  Ｅｖｏｌｕｔｉｏｎ）ネットワーク等が、幾つかの都市エリアやトラフィック・ホットスポット・エリアをカバーしている。更に、新世代５Ｇ（第５世代、第５世代移動通信技術）ネットワークが展開されつつある。従って、５Ｇ、ＬＴＥ、及び２Ｇ／３Ｇネットワークは、将来、これらのエリアで共存する。換言すれば、比較的長期間、（２Ｇ、３Ｇ、ＬＴＥ、及び５Ｇネットワークのような）異なるシステムのネットワークが共存し、一緒にユーザーにサービスを提供する。これを考慮して、システム間インターワーキングがネットワーク側に導入される。インターワーキングは、異なるシステム間のサービス継続性に関する重要な保証である。システム間インターワーキングを通じて、オペレータは、異なるシステムのネットワーク間の補完を実現し、既存のネットワークのカバレッジを改善し、及びネットワーク品質を改善することができる。
【０００３】
従来技術では、５ＧからＬＴＥへのハンドオーバー（ｈａｎｄｏｖｅｒ）が開始された後、５Ｇネットワーク内のアクセス・ネットワーク・デバイスは、全ての受信フローを、ユーザー・プレーン機能（ｕｓｅｒ  ｐｌａｎｅ  ｆｕｎｃｔｉｏｎ，ＵＰＦ）ネットワーク要素へ転送し、ＵＰＦネットワーク要素は、対応する転送トンネルを有するフローを転送し、対応する転送トンネルを有しないフローを破棄しており、伝送リソースの無駄の原因となっている。
【発明の概要】
【０００４】
本願はデータ転送方法、装置、及びシステムを説明する。
【０００５】
一態様によれば、本願の実施形態はデータ転送方法を提供し、本方法は：セッション管理機能ネットワーク要素により、第１ネットワークにおける第１ベアラに関する情報を、アクセス及びモビリティ管理機能ネットワーク要素から受信するステップ；及び第２ネットワークにおける第１フロー（例えば、ＱｏＳフロー）のフロー情報及び転送情報（トンネル情報と言及されてもよい）を、アクセス及びモビリティ管理機能ネットワーク要素へ送信するステップであって、フロー情報はデータ転送のためのフローを示し、転送情報は、第１フローを、第１ベアラに対応するトンネルへ転送するために使用される、ステップを含む。上記ソリューションによれば、セッション管理機能ネットワーク要素は、フロー情報及び転送情報を、アクセス及びモビリティ管理機能ネットワーク要素へ送信し、次いでアクセス及びモビリティ管理機能ネットワーク要素は、フロー情報及び転送情報を、第２ネットワークにおけるアクセス・ネットワーク・デバイスに提供する。第２ネットワークにおけるアクセス・ネットワーク・デバイスは、フロー情報及び転送情報に基づいて、データ転送に必要なフローのみを、ユーザー・プレーン機能ネットワーク要素へ送信することができ、その結果、アクセス・ネットワーク・デバイスは、全てのフローを、ユーザー・プレーン機能ネットワーク要素へ転送する必要はなく、それにより伝送リソースを削減する。
【０００６】
可能な設計において、本方法は更に：セッション管理機能ネットワーク要素により、第１ベアラに関する情報及び関連情報に基づいて第１フローを決定するステップを含み、ここで、関連情報は第１フロー及び第１ベアラの間の関連性を示す。
【０００７】
可能な設計において、セッション管理機能ネットワーク要素により、第１ネットワークにおける第１ベアラに関する情報を、アクセス及びモビリティ管理機能ネットワーク要素から受信するステップの前に、本方法は更に：セッション管理機能ネットワーク要素により、フロー・リストを、アクセス及びモビリティ管理機能ネットワーク要素から受信するステップ；フロー・リスト及び関連情報に基づいて、データ転送のためのベアラを決定するステップ；及びデータ転送のためのベアラを、アクセス及びモビリティ管理機能ネットワーク要素に指示するステップを含む。フロー・リストはフロー情報を含む。データ転送のためのベアラはフロー・リストにおけるフローに関連付けられ、データ転送のためのベアラは第１ベアラを含む。上記のステップは、第２ネットワークにおけるアクセス・ネットワーク・デバイスが、データ転送のためのベアラを決定する状況に適用可能である。
【０００８】
別の可能な設計において、セッション管理機能ネットワーク要素により、第１ネットワークにおける第１ベアラに関する情報を、アクセス及びモビリティ管理機能ネットワーク要素から受信するステップの前に、本方法は更に：セッション管理機能ネットワーク要素により、関連情報に基づいて、データ転送のためのベアラを決定するステップ；及びデータ転送のためのベアラを、アクセス及びモビリティ管理機能ネットワーク要素に指示するステップを含む。データ転送のためのベアラは第１ベアラを含む。上記のステップは、セッション管理機能ネットワーク要素が、データ転送のためのフローを決定する状況に適用可能である。
【０００９】
可能な設計において、フロー情報は第２ネットワークにおける第２フローの識別情報を更に含み、転送情報は、第１フローを、第１ベアラに対応するトンネルへ転送するため、及び第２フローを、第２ベアラに対応するトンネルへ転送するために使用される。第１ベアラ及び第２ベアラは同じベアラであってもよい。換言すれば、転送情報はセッションの粒度におけるものであり、セッションにおけるフローの転送情報を示す可能性がある。
【００１０】
別の可能な設計において、フロー情報は第２ネットワークにおける第２フローの識別情報を更に含み、転送情報は第１転送情報及び第２転送情報を含み、第１転送情報は、第１フローを、第１ベアラに対応するトンネルへ転送するために使用され、第２転送情報は、第２フローを、第２ベアラに対応するトンネルへ転送するために使用される。第１ベアラ及び第２ベアラは同じベアラであってもよい。換言すれば、転送情報はフローの粒度におけるものであり、各フローは対応する転送情報を有する。このケースにおいて、本方法は更に：セッション管理機能ネットワーク要素により、第１転送情報を第１フローに割り当て、第２転送情報を第２フローに割り当てるステップを含む可能性がある。即ち、セッション管理機能ネットワーク要素は、転送情報をフローの粒度で割り当てる。
【００１１】
可能な設計において、本方法は更に：セッション管理機能ネットワーク要素により、データ転送ルールを決定し、データ転送ルールを、ユーザー・プレーン機能ネットワーク要素へ送信するステップを含み、ここで、データ転送ルールは、第１ベアラに対応するトンネルが第１フローを転送するために使用されることを示す。このケースにおいて、ユーザー・プレーン機能ネットワーク要素は、転送ルールに従って、第１フローを、第１ベアラに対応するトンネルへ転送する可能性がある。このようにして、ユーザー・プレーン機能ネットワーク要素が、第２ネットワークにおけるフローを、第１ネットワークにおけるベアラへどのように転送するか、という問題が解決される。
【００１２】
別の態様によれば、本願はデータ転送方法を更に開示しており、本方法は：アクセス及びモビリティ管理機能ネットワーク要素により、第１ネットワークにおける第１ベアラに関する情報を、セッション管理機能ネットワーク要素へ送信するステップ；第２ネットワークにおける第１フローのフロー情報及び転送情報を、セッション管理機能ネットワーク要素から受信するステップ；及びフロー情報及び転送情報を、第２ネットワークにおけるアクセス・ネットワーク・デバイスへ送信するステップを含む。フロー情報はデータ転送のためのフローを示し、転送情報は、第１フローを、第１ベアラに対応するトンネルへ転送するために使用される。上記のソリューションによれば、フロー情報及び転送情報を、セッション管理機能ネットワーク要素から受信した後に、アクセス及びモビリティ管理機能ネットワーク要素は、フロー情報及び転送情報を、第２ネットワークにおけるアクセス・ネットワーク・デバイスへ送信する。第２ネットワークにおけるアクセス・ネットワーク・デバイスは、フロー情報及び転送情報に基づいて、データ転送に必要なフローのみを、ユーザー・プレーン機能ネットワーク要素へ送信することができ、その結果、アクセス・ネットワーク・デバイスは、全てのフローを、ユーザー・プレーン機能ネットワーク要素へ転送する必要はなく、それにより伝送リソースを削減する。
【００１３】
可能な設計において、アクセス及びモビリティ管理機能ネットワーク要素により、第１ネットワークにおける第１ベアラに関する情報を、セッション管理機能ネットワーク要素へ送信するステップの前に、本方法は更に：アクセス及びモビリティ管理機能ネットワーク要素により、フロー・リストを、セッション管理機能ネットワーク要素へ送信するステップ；データ転送のためのベアラを，セッション管理機能ネットワーク要素から学ぶステップ；データ転送のためのベアラを、第１ネットワークにおけるコア・ネットワーク制御プレーン・ネットワーク要素に指示するステップを含む。フロー・リストはフロー情報を含む。データ転送のためのベアラはフロー・リストにおけるフローに関連付けられ、データ転送のためのベアラは第１ベアラを含む。例えば、アクセス及びモビリティ管理機能ネットワーク要素は、リクエスト・メッセージを、第１ネットワークにおけるコア・ネットワーク制御プレーン・ネットワーク要素へ送信し、ここで、リクエスト・メッセージは、第１ネットワークにおけるアクセス・ネットワーク・デバイスへ送信されるべき情報を含み、第１ネットワークにおけるアクセス・ネットワーク・デバイスへ送信されるべき情報は、データ転送のためのベアラを示す。第１ネットワークにおけるアクセス・ネットワーク・デバイスへ送信されるべき情報は、トランスペアレント・コンテナであってもよい。この可能な設計におけるステップは、第２ネットワークにおけるアクセス・ネットワーク・デバイスがデータ転送のためのフローを決定する状況に適用可能である。セッション管理機能ネットワーク要素がデータ転送のためのフローを決定する状況では、アクセス及びモビリティ管理機能ネットワーク要素は、フロー・リストをセッション管理機能ネットワーク要素へ送信することなく、セッション管理機能ネットワーク要素から、データ転送のためのベアラを直接的に受信する可能性がある。
【００１４】
更に別の態様によれば、本願はデータ転送方法を更に開示し、本方法は：第２ネットワークにおけるアクセス・ネットワーク・デバイスにより、第２ネットワークにおける第１フローのフロー情報及び転送情報を、アクセス及びモビリティ管理機能ネットワーク要素から受信するステップ；及びアクセス・ネットワーク・デバイスにより、第１フローを受信し、第１フローを、フロー情報及び転送情報に基づいて、ユーザー・プレーン機能ネットワーク要素へ送信するステップを含む。フロー情報はデータ転送のためのフローを示し、転送情報は、第１フローを、第１ネットワークにおける第１ベアラに対応するトンネルへ転送するために使用される。上記のソリューションによれば、フロー情報及び転送情報を、アクセス及びモビリティ管理機能ネットワーク要素から受信した後に、第２ネットワークにおけるアクセス・ネットワーク・デバイスは、フロー情報及び転送情報に基づいて、データ転送に必要なフローのみを、ユーザー・プレーン機能ネットワーク要素へ送信することができ、その結果、アクセス・ネットワーク・デバイスは、全てのフローを、ユーザー・プレーン機能ネットワーク要素へ転送する必要はなく、それにより伝送リソースを削減する。
【００１５】
可能な設計において、本方法は更に：アクセス・ネットワーク・デバイスにより、データ転送のためのフロー・リストを決定するステップ；及びアクセス・ネットワーク・デバイスにより、フロー・リストを、アクセス及びモビリティ管理機能ネットワーク要素へ送信するステップであって、フロー・リストはデータ転送のためのベアラを決定するために使用され、フロー・リストはフロー情報を含み、データ転送のためのベアラはフロー・リストにおけるフローに関連付けられ、データ転送のためのベアラは第１ベアラを含む。上記のステップは、第２ネットワークにおけるアクセス・ネットワーク・デバイスが、データ転送のためのフローを決定することを開始する状況に適用可能である。
【００１６】
上記の態様及び可能な設計において、転送情報はセッションの粒度におけるものであってもよく、あるいはフローの粒度におけるものであってもよい。
【００１７】
更に別の態様によれば、本願の実施形態はデータ転送装置を提供し、データ転送装置は、前述の方法におけるセッション管理機能ネットワーク要素のオペレーションを実行する機能を有する。機能は、ハードウェアを利用することにより実現されてもよいし、あるいはハードウェアにより対応するソフトウェアを実行することで実現されてもよい。ハードウェア又はソフトウェアは、上記の機能に対応する１つ以上のモジュールを含む。可能な設計において、データ転送装置の構造は、プロセッサ及びトランシーバを含む。プロセッサは、前述の方法におけるセッション管理機能ネットワーク要素の対応する機能を実行するように構成され、トランシーバは、セッション管理機能ネットワーク要素とアクセス及びモビリティ管理機能ネットワーク要素／ユーザー・プレーン機能ネットワーク要素との間の通信を実行するように構成される。データ転送装置はメモリをさらに含む可能性がある。メモリは、プロセッサに結合されるように構成され、メモリは、セッション管理機能ネットワーク要素の必要なプログラム命令及びデータを格納する。
【００１８】
更に別の態様によれば、本願の実施形態はデータ転送装置を提供し、データ転送装置は、前述の方法におけるアクセス及びモビリティ管理機能ネットワーク要素のオペレーションを実行する機能を有する。機能は、ハードウェアを利用することにより実現されてもよいし、あるいはハードウェアにより対応するソフトウェアを実行することで実現されてもよい。ハードウェア又はソフトウェアは、上記の機能に対応する１つ以上のモジュールを含む。可能な設計において、データ転送装置の構造は、プロセッサ及びトランシーバを含む。プロセッサは、前述の方法におけるアクセス及びモビリティ管理機能ネットワーク要素の対応する機能を実行するように構成され、トランシーバは、アクセス及びモビリティ管理機能ネットワーク要素とセッション管理機能ネットワーク要素／第２ネットワークにおけるアクセス・ネットワーク・デバイス／第１ネットワークにおけるコア・ネットワーク制御プレーン・ネットワーク要素との間の通信を実行するように構成される。データ転送装置はメモリをさらに含む可能性がある。メモリは、プロセッサに結合されるように構成され、メモリは、アクセス及びモビリティ管理機能ネットワーク要素の必要なプログラム命令及びデータを格納する。
【００１９】
更に別の態様によれば、本願の実施形態はデータ転送装置を提供し、データ転送装置は、前述の方法における第２ネットワークにおけるアクセス・ネットワーク・デバイスのオペレーションを実行する機能を有する。機能は、ハードウェアを利用することにより実現されてもよいし、あるいはハードウェアにより対応するソフトウェアを実行することで実現されてもよい。ハードウェア又はソフトウェアは、上記の機能に対応する１つ以上のモジュールを含む。可能な設計において、データ転送装置の構造は、プロセッサ及びトランシーバを含む。プロセッサは、前述の方法における第２ネットワークにおけるアクセス・ネットワーク・デバイスの対応する機能を実行するように構成され、トランシーバは、第２ネットワークにおけるアクセス・ネットワーク・デバイスとアクセス及びモビリティ管理機能ネットワーク要素／ユーザー・プレーン機能ネットワーク要素との間の通信を実行するように構成される。データ転送装置はメモリをさらに含む可能性がある。メモリは、プロセッサに結合されるように構成され、メモリは、第２ネットワークにおけるアクセス・ネットワーク・デバイスの必要なプログラム命令及びデータを格納する。
【００２０】
更に別の態様によれば、本願の実施形態は、コンピュータ読み取り可能な記憶媒体を提供する。コンピュータ読み取り可能な記憶媒体は、命令を記憶し、命令がコンピュータで実行されると、コンピュータは、前述の態様の方法を実行する。
【００２１】
更に別の態様によれば、本願の実施形態は、命令を含むコンピュータ・プログラム・プロダクトを提供し、命令がコンピュータで実行されると、コンピュータは、前述の態様の方法を実行する。
【００２２】
更に別の態様によれば、本願はチップ・システムを提供し、チップ・システムは、前述の態様における機能を実行することにおいて、例えば前述の態様で情報を生成又は処理することにおいて、前述のセッション管理機能のネットワーク要素／アクセス及びモビリティ管理機能のネットワーク要素／第２ネットワークにおけるアクセス・ネットワーク・デバイスをサポートするように構成されたプロセッサを含む。可能な設計において、チップ・システムはメモリを更に含み、メモリは、データ転送装置の必要なプログラム命令及びデータを格納するように構成される。チップ・システムは、チップを含んでもよく、又はチップ及び別の個別デバイスを含んでもよい。
【図面の簡単な説明】
【００２３】
以下、実施形態を説明するために必要な添付の図面を簡単に説明する。
【図１】５Ｇシステムと４Ｇシステムとの間でインターワーキングが実行され、本願の実施形態が適用可能な非ローミング状況のアーキテクチャの概略図である。
【図２】本発明の実施形態によるデータ転送方法の概略図である。
【図３】ダウンリンク・データを転送するための経路と通常のダウンリンク・データの経路との概略図である。
【図４Ａ】本発明の実施形態によるデータ転送方法のシグナリング相互作用の図である。
【図４Ｂ】本発明の実施形態によるデータ転送方法のシグナリング相互作用の図である。
【図５】本発明の実施形態によるデータ転送方法の別のシグナリング相互作用の図である。
【図６】本発明の実施形態によるデータ転送方法の更に別のシグナリング相互作用の図である。
【図７】本発明の実施形態によるデータ転送装置の概略的な構造図である。
【図８】本発明の実施形態によるデータ転送装置の概略的な構造図である。
【図９】本発明の実施形態によるデータ転送装置の概略的な構造図である。
【図１０】本発明の実施形態によるデータ転送装置の概略的な構造図である。
【発明を実施するための形態】
【００２４】
以下、本願の実施態様における技術的ソリューションを、本願の実施態様における添付図面を参照して明確に説明する。
【００２５】
本願における端末は、無線通信機能を有するハンドヘルド・デバイス、車載デバイス、ウェアラブル・デバイス、コンピューティング・デバイス、又は無線モデムに接続された他の処理デバイス、種々の形態のユーザー装置（ｕｓｅｒ  ｅｑｕｉｐｍｅｎｔ，ＵＥ）、移動局（ｍｏｂｉｌｅ  ｓｔａｔｉｏｎ，ＭＳ）、端末（ｔｅｒｍｉｎａｌ）、端末装置（ｔｅｒｍｉｎａｌ  ｅｑｕｉｐｍｅｎｔ）等を含むことができる。説明を容易にするために、本願の実施態様において、端末がＵＥである例が説明のために使用される。
【００２６】
本願の実施形態におけるデータ転送方法は、種々のシステム・アーキテクチャに適用可能である。図１は、５Ｇシステムと４Ｇシステムとの間でインターワーキングが実行され、本願の実施形態が適用可能である非ローミング状況のアーキテクチャの概略図である。
【００２７】
図１に示すように、システム・アーキテクチャにおける４Ｇシステムは、エボルブド・ユニバーサル地上無線アクセス・ネットワーク（ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ，Ｅ−ＵＴＲＡＮ）、モビリティ管理エンティティ（ｍｏｂｉｌｉｔｙ  ｍａｎａｇｅｍｅｎｔ  ｅｎｔｉｔｙ，ＭＭＥ）、サービング・ゲートウェイ（ｓｅｒｖｉｎｇ  ｇａｔｅｗａｙ，ＳＧＷ）、パケット・データ・ネットワーク・ゲートウェイ制御プレーン（パケット・データ・ネットワーク・ゲートウェイ制御プレーン、ＰＤＮゲートウェイ制御プレーン、ＰＧＷ−Ｃ）、パケット・データ・ネットワーク・ゲートウェイ・ユーザー・プレーン（パケット・データ・ネットワーク・ゲートウェイ・ユーザー・プレーン、ＰＤＮゲートウェイ・ユーザー・プレーン、ＰＧＷ−Ｕ）、ポリシー及び課金ルール機能（ｐｏｌｉｃｙ  ａｎｄ  ｃｈａｒｇｉｎｇ  ｒｕｌｅｓ  ｆｕｎｃｔｉｏｎ，ＰＣＲＦ）、及びホーム加入者サーバー（Ｈｏｍｅ  Ｓｕｂｓｃｒｉｂｅｒ  Ｓｅｒｖｅｒ，ＨＳＳ）を含む。Ｅ−ＵＴＲＡＮとＭＭＥとの間には、Ｓ１−ＭＭＥインターフェースが存在する。Ｅ−ＵＴＲＡＮとＳＧＷとの間にはＳ１−Ｕインターフェースが存在する。ＭＭＥとＳＧＷとの間にはＳ１１インターフェースが存在する。ＳＧＷとＰＧＷ−Ｃとの間にはＳ５−Ｃインターフェースが存在する。ＳＧＷとＰＧＷ−Ｕとの間にはＳ５−Ｕインターフェースが存在する。
【００２８】
５Ｇシステムは、次世代無線アクセス・ネットワーク（Ｎｅｘｔ  Ｇｅｎｅｒａｔｉｏｎ  ｒａｄｉｏ  ａｃｃｅｓｓ  ｎｅｔｗｏｒｋ，ＮＧ−ＲＡＮ，５Ｇアクセス・ネットワーク、５Ｇ  ＲＡＮとも呼ばれる）、アクセス及びモビリティ管理機能（ａｃｃｅｓｓ  ａｎｄ  ｍｏｂｉｌｉｔｙ  ｍａｎａｇｅｍｅｎｔ  ｆｕｎｃｔｉｏｎ，ＡＭＦ）ネットワーク要素、ユーザー・プレーン機能（ｕｓｅｒ  ｐｌａｎｅ  ｆｕｎｃｔｉｏｎ，ＵＰＦ）ネットワーク要素、セッション管理機能（ｓｅｓｓｉｏｎ  ｍａｎａｇｅｍｅｎｔ  ｆｕｎｃｔｉｏｎ，ＳＭＦ）ネットワーク要素、ポリシー制御機能（Ｐｏｌｉｃｙ  Ｃｏｎｔｒｏｌ  Ｆｕｎｃｔｉｏｎ，ＰＣＦ）ネットワーク要素、及び統一データ管理（ｕｎｉｆｉｅｄ  ｄａｔａ  ｍａｎａｇｅｍｅｎｔ，ＵＤＭ）ネットワーク要素を含む。ＮＧ−ＲＡＮとＡＭＦとの間にはＮ２インターフェースが存在する。ＮＧ−ＲＡＮとＵＰＦとの間にはＮ３インターフェースが存在する。ＡＭＦとＳＭＦとの間にはＮ１１インターフェースが存在する。
【００２９】
図１に示すように、５Ｇシステムと４Ｇシステムとの間でインターワーキング（ｉｎｔｅｒｗｏｒｋｉｎｇ）が必要な場合、ＵＰＦとＰＧＷ−Ｕとは統合されてもよく、それらが統合された後はＵＰＦ＋ＰＧＷ−Ｕと呼ばれる可能性がある。同様に、ＳＭＦとＰＧＷ−Ｃとは統合されてもよく、それらが統合された後はＰＧＷ−Ｃ＋ＳＭＦと呼ばれる可能性がある。５ＧシステムのＡＭＦと４ＧシステムのＭＭＥとの間にはＮ２６インターフェースが存在する。Ｎ２６インターフェースは、発展したエボルブド・パケット・コア（ｅｖｏｌｖｅｄ  ｐａｃｋｅｔ  ｃｏｒｅ，ＥＰＣ）とＮＧコア（Ｎｅｘｔ  Ｇｅｎｅｒａｔｉｏｎ  Ｃｏｒｅ）との間のインターワーキングに使用される。例えば、ＡＭＦは、ターゲットＭＭＥを選択し、５Ｇシステムから４Ｇシステムへのハンドオーバーを実行するために、Ｎ２６インターフェースを使用して、ＵＥのコンテキスト（例えば、ＭＭコンテキスト情報及びＳＭコンテキスト情報）をターゲットＭＭＥへ送信することができる。
【００３０】
以下の説明において、第１ネットワークは、第５Ｇシステムと第４Ｇシステムとの間でインターワーキングが実行される状況における第４Ｇネットワーク、即ち、図１のＵＥ、Ｅ−ＵＴＲＡＮ、ＭＭＥ、ＳＧＷ、ＰＧＷ−Ｃ、ＰＧＷ−Ｕを含むネットワークであり；第２ネットワークは、第５Ｇシステムと第４Ｇシステムとの間でインターワーキングが実行される状況における第５Ｇネットワーク、即ち、図１のＵＥ、ＮＧ−ＲＡＮ、ＡＭＦ、ＳＭＦ、ＵＰＦを含むネットワークである。更に、第１ネットワークは４Ｇシステム内に別のネットワーク要素を含んでもよく、第２ネットワークは５Ｇシステム内に別のネットワーク要素を含んでもよい。これは本発明で限定されない。
【００３１】
図２は、本発明の実施形態によるデータ転送方法の概略図である。図２の例において、データ転送方法は、アクセス・ネットワーク・デバイスと、アクセス及びモビリティ管理機能ネットワーク要素と、セッション管理機能ネットワーク要素との間の相互作用に関連する。
【００３２】
本願の実施形態におけるアクセス・ネットワーク・デバイスは、第２ネットワークにおけるアクセス・ネットワーク・デバイスである。例えば、アクセス・ネットワーク・デバイスは、図１のＮＧ−ＲＡＮであってもよい。アクセス・ネットワーク・デバイスは、マクロ基地局、マイクロ基地局（スモール・セルとも呼ばれる）、中継局、及びアクセス・ポイントのような種々の形態の基地局を含むことができる。例えば、アクセス・ネットワーク・デバイスはｇＮＢ（ｇＮｏｄｅＢ）であってもよい。
【００３３】
本願の実施形態におけるアクセス及びモビリティ管理機能ネットワーク要素は、図１のＡＭＦネットワーク要素であってもよく、ＵＥ登録、モビリティ管理、トラッキング・エリア更新手順等を担当する。説明を簡単にするために、ＡＭＦネットワーク要素は、以下、略して「ＡＭＦ」と呼ぶ場合がある。
【００３４】
本願の実施形態におけるセッション管理機能ネットワーク要素は、図１のＳＭＦネットワーク要素であってもよく、ＵＥセッション管理、ユーザー・プレーン機能ネットワーク要素の選択、ユーザー・プレーン機能ネットワーク要素の再選択、ＩＰアドレス割り当て、ＱｏＳ制御、及びセッション確立、修正、及び解放を担当する。説明を簡単にするために、ＳＭＦネットワーク要素は、以下、略して「ＳＭＦ」と呼ぶ場合がある。
【００３５】
アクセス・ネットワーク・デバイス、アクセス及びモビリティ管理機能ネットワーク要素、及びセッション管理機能ネットワーク要素は、指定されたハードウェアを使用して実現されてもよく、指定されたハードウェア上のソフトウェア・インスタンスを使用して実現されてもよく、又は適切なプラットフォームでインスタンス化された仮想機能を使用して実現されてもよい。これは本発明において限定されない。
【００３６】
本願のこの実施形態によるデータ転送方法は、以下、図２を参照しながら説明される。本方法は、以下のステップを含む。
【００３７】
ステップ２０１：アクセス及びモビリティ管理機能ネットワーク要素が、第１ネットワークにおける第１ベアラに関する情報を、セッション管理機能ネットワーク要素へ送信し、これに対応して、セッション管理機能ネットワーク要素は、第１ベアラに関する情報を、アクセス及びモビリティ管理機能ネットワーク要素から受信する。
【００３８】
例えば、ステップ２０１において、アクセス及びモビリティ管理機能ネットワーク要素は、第１ネットワークにおける少なくとも１つのベアラに関する情報を、セッション管理機能ネットワーク要素へ送信する。少なくとも１つのベアラは第１ベアラを含む。
【００３９】
オプションとして、第１ベアラに関する情報は、４ＧのＧＰＲＳトンネリング・プロトコル（ＧＰＲＳ  ｔｕｎｎｅｌｉｎｇ  ｐｒｏｔｏｃｏｌ，ＧＴＰ）のトンネル情報を使用することによって表現されてもよい。例えば、第１ベアラに関する情報はＳＧＷ情報である。ＳＧＷ情報は、ＳＧＷのトンネル終点識別子（ｔｕｎｎｅｌ  ｅｎｄｐｏｉｎｔ  ｉｄｅｎｔｉｆｉｅｒ，ＴＥＩＤ）を含む。例えば、ＳＧＷのＴＥＩＤは、ダウンリンク・データを転送するために使用されるＳＧＷ  ＴＥＩＤ（ＳＧＷ  Ｆ−ＴＥＩＤと呼ばれてもよい）であってもよい。オプションとして、ＳＧＷ情報は、ＳＧＷのアドレスを更に含む可能性がある。
【００４０】
あるいはオプションとして、第１ベアラに関する情報は、第１ベアラの識別情報であってもよい。例えば、第１ベアラの識別情報は、エボルブド・パケット・システムのベアラ識別子（ｅｖｏｌｖｅｄ  ｐａｃｋｅｔ  ｓｙｓｔｅｍ  ｂｅａｒｅｒ  ｉｄｅｎｔｉｆｉｅｒ，ＥＰＳ  ｂｅａｒｅｒ  ＩＤ）であってもよい。
【００４１】
あるいはオプションとして、第１ベアラに関する情報は、ＳＧＷ情報と第１ベアラの識別情報との組み合わせであってもよい。
【００４２】
例えば、アクセス及びモビリティ管理機能ネットワーク要素は、Ｎ２６インターフェースを使用することによって、第１ベアラに関する情報を、４ＧのＭＭＥから得ることができる。これは、図４Ａ及び図４Ｂを参照して詳細に説明される。第１ベアラに関する情報を取得した後、アクセス及びモビリティ管理機能ネットワーク要素は、第１ベアラに関する情報を、セッション管理機能ネットワーク要素へ送信する。
【００４３】
ステップ２０２：セッション管理機能ネットワーク要素は、第１ベアラに関する情報及び関連情報に基づいて、第２ネットワークにおける第１フローを決定し、ここで、関連情報は第１フローと第１ベアラとの間の関連付けを示す。
【００４４】
第２ネットワークにおける第１フローは、５Ｇのサービス品質（ｑｕａｌｉｔｙ  ｏｆ  ｓｅｒｖｉｃｅ，ＱｏＳ）フロー（ＱｏＳフロー）である。第１フローはデータ転送のためのフローである。
【００４５】
例えば、第１フローと第１ベアラとの間の関連は、データが、４Ｇシステムの第１ベアラに対応するトンネルを使用することによって、５Ｇシステムの第１フローに間接的に転送され得ることを意味する。例えば、図３に示すように、５ＧシステムにおけるＮＧ−ＲＡＮとＵＰＦとの間のデータはＱｏＳフローの形態で伝送される。４Ｇシステムでは、異なる伝送方式が使用される。具体的には、Ｓ５／Ｓ８ベアラはＰＧＷ−ＵとＳＧＷとの間のデータ伝送に使用されることが可能であり、Ｓ１ベアラはＳＧＷとＥ−ＵＴＲＡＮとの間のデータ伝送に使用されることが可能である。従って、５Ｇシステムから４Ｇシステムへのハンドオーバーの際に、ＱｏＳフローは、４Ｇシステムの第１ベアラ（Ｓ５／Ｓ８ベアラ又はＳ１ベアラ）に対応するトンネルに転送されることを要する。従って、第１フローと第１ベアラとの間に関連性（又は、対応関係と呼ばれる）が存在する。例えば、パケット・データ・ユニット（ｐａｃｋｅｔ  ｄａｔａ  ｕｎｉｔ，ＰＤＵ）セッション及びＱｏＳフローを確立するプロセスにおいて、セッション管理機能ネットワーク要素は、各フローと各キャリアとの間の対応関係（第１フローと第１ベアラとの間の対応関係を含む）を得るために、ベアラとＱｏＳフローとの間でマッピングを実行することができる。
【００４６】
例えば可能な実装において、関連情報は、ベアラ情報（例えば、ベアラ情報はＳＧＷ  ＴＥＩＤである）、ベアラ識別子、及びフローの間の関連付けを含む。例えば、関連情報は表１に示される形式である。
【表１】
0006945080.tif 000002
【００４７】
表１に示すように、ＳＧＷ  ＴＥＩＤ１はベアラ１のベアラ情報であり、ベアラ１はフローＡに対応する。ＳＧＷ  ＴＥＩＤ２はベアラ２のベアラ情報であり、ベアラ２はフローＢに対応する。第１ベアラに関連する、セッション管理機能ネットワーク要素により受信される情報は、ＳＧＷ  ＴＥＩＤ１であると仮定すると、セッション管理機能ネットワーク要素は、関連情報に基づいて、第２ネットワークにおけるものであって第１ベアラに対応するフローはフローＡであると判断することができる。
【００４８】
別の可能な実装において、関連情報は、ベアラ情報（例えば、ベアラ情報はＥＰＳベアラＩＤである）とフローとの間の関連付けを含む。例えば、関連情報は表２に示される形式である。
【表２】
0006945080.tif 000003
【００４９】
表２に示すように、ＥＰＳベアラＩＤ１はベアラ１のベアラ情報であり、ベアラ１はフローＡに対応する。ＥＰＳベアラＩＤ２はベアラ２のベアラ情報であり、ベアラ２はフローＢに対応する。第１ベアラに関する、セッション管理機能ネットワーク要素によって受信される情報は、ＥＰＳベアラＩＤ１であると仮定すると、セッション管理機能ネットワーク要素は、関連情報に基づいて、第２ネットワークにおけるものであって第１ベアラに対応するフローはフローＡであると判断することができる。
【００５０】
セッション管理機能ネットワーク要素が第１フローを決定した後、第１フローのフロー情報及び転送情報が決定され得る。
【００５１】
フロー情報は、データ転送のためのフローを示す（即ち、第１フローがデータ転送に必要なフローであることを示す）。換言すれば、フロー情報は、データ転送のための特定のフローを決定するために使用されることが可能である。これは、ステップ２０６を参照して更に説明される。オプションとして、第１フローのフロー情報は、第１フローのＱｏＳフロー識別子（ＱｏＳ  ｆｌｏｗ  ｉｄｅｎｔｉｆｉｅｒ，ＱＦＩ）を含む可能性がある。
【００５２】
転送情報は、第１フローを、第１ベアラに対応するトンネルへ転送するために使用される。転送情報はトンネル情報とも呼ばれてもよい。例えば、転送情報は、ユーザー・プレーン機能ネットワーク要素を識別するために使用されることが可能であり、ユーザー・プレーン機能ネットワーク要素は、第１フローを、第１ベアラに対応するトンネルへ転送するように構成される。オプションとして、転送情報は、データ転送のためのコア・ネットワーク・トンネル情報（データ転送のためのＣＮトンネル情報）である。転送情報は、セッション管理機能ネットワーク要素によって割り当てられてもよいし、あるいはユーザー・プレーン機能ネットワーク要素によって割り当てられてもよい。これは、図４Ａ及び図４Ｂを参照して更に説明される。
【００５３】
５Ｇシステムにおけるセッションは、データ転送を必要とする複数のフローを含む可能性がある（複数のフローは、第１フローを含む）。可能な実装において、転送情報は、複数のフロー各々のＱＦＩを含んでもよい。例えばフロー情報は第２ネットワークにおける第２フローの識別情報を更に含む。転送情報は、第１フローを、第１ベアラに対応するトンネルへ転送し、第２フローを、第２ベアラに対応するトンネルに転送するために使用される。第２ベアラ及び第１ベアラは、同一のベアラ又は異なるベアラであってもよい。このケースでは、転送情報はセッションの粒度における転送情報である。
【００５４】
別の可能な実装において、複数のフローの各々は、フローに専用の転送情報を有し、即ち、転送情報はフローのＱＦＩを含む。例えば、フロー情報は、第２ネットワークにおける第２フローの識別情報を更に含む。転送情報は、第１転送情報と第２転送情報とを含む。第１転送情報は、第１フローを、第１ベアラに対応するトンネルへ転送するために使用され、第２転送情報は、第２フローを、第２ベアラに対応するトンネルへ転送するために使用される。例えば、セッション管理機能ネットワーク要素は、第１転送情報を第１フローに割り当て、第２転送情報を第２フローに割り当てる。同様に、第２ベアラ及び第１ベアラは、同一のベアラ又は異なるベアラであってもよい。このケースでは、転送情報はフローの粒度における転送情報である。更に、転送情報は、別の粒度におけるものであってもよい。これは本発明において限定されない。
【００５５】
ステップ２０２はオプションのステップである。セッション管理機能ネットワーク要素は、代替的に、別の方法で第１フローのフロー情報及び転送情報を取得してもよい。これは本発明において限定されない。
【００５６】
ステップ２０３：セッション管理機能ネットワーク要素は、フロー情報及び転送情報を、アクセス及びモビリティ管理機能ネットワーク要素へ送信し、これに対応して、アクセス及び移動管理機能ネットワーク要素は、フロー情報及び転送情報を、セッション管理機能ネットワーク要素から受信する。
【００５７】
ステップ２０４：アクセス及びモビリティ管理機能ネットワーク要素は、フロー情報及び転送情報を、第２ネットワークにおけるアクセス・ネットワーク・デバイスへ送信し、これに対応して、第２ネットワークにおけるアクセス・ネットワーク・デバイスは、フロー情報及び転送情報を、アクセス及びモビリティ管理機能ネットワーク要素から受信する。
【００５８】
ステップ２０５：第２ネットワークにおけるアクセス・ネットワーク・デバイスは、第１フローを受信する。
【００５９】
例えば、アクセス・ネットワーク・デバイスは、第１フローを、第１ユーザー・プレーン機能ネットワーク要素から受信する。
【００６０】
ステップ２０６：アクセス・ネットワーク・デバイスは、フロー情報及び転送情報に基づいて、第１フローを、ユーザー・プレーン機能ネットワーク要素へ送信する。
【００６１】
例えば、アクセス・ネットワーク・デバイスが、フロー情報に基づいて、第１フローはデータ転送のためのフローであると判断した場合、アクセス・ネットワーク・デバイスは、転送情報に基づいて第１フローを、第２ユーザー・プレーン機能ネットワーク要素へ送信し、その結果、第２ユーザー・プレーン機能ネットワーク要素は、第１フローを、第１ベアラに対応するトンネルへ転送する。換言すれば、フロー情報は、データ転送に必要な特定のフローを決定するために使用されることが可能であり、即ち、フロー情報は、アクセス・ネットワーク・デバイスによって受信されたフローから、データ転送に必要なフローを選択するために使用されることが可能である。
【００６２】
例えば、ステップ２０５において、アクセス・ネットワーク・デバイスによって受信された複数のフローは、第１フロー、第２フロー、及び第３フローを含む。ステップ２０４において、アクセス・ネットワーク・デバイスにより受信されたフロー情報が、第１フローのフロー情報及び第２フローのフロー情報を含む場合、アクセス・ネットワーク・デバイスは、第１フロー及び第２フローがデータ転送のためのフローであると判断する。フロー情報は、第３フローのフロー情報を含まないので、アクセス・ネットワーク・デバイスは、第３フローはデータ転送のためのフローではないと判断する。
【００６３】
図３に示すように、アクセス・ネットワーク・デバイス（ＮＧ−ＲＡＮ）は、ステップａにおいて、第１ユーザー・プレーン機能ネットワーク要素（ＰＧＷ−Ｕ＋ＵＰＦ）から第１フローを受信し、第１フローはデータ転送用のフローであると判定した後、ステップｂにおいて、第２ユーザー・プレーン機能ネットワーク要素（ＰＧＷ−Ｕ＋ＵＰＦ）へ第１フローを送信し、その結果、第２ユーザー・プレーン機能ネットワーク要素は、ダウンリンク・データを転送するために、第１フローを、第１ベアラに対応するトンネルへ転送する（即ち、ステップｃにおいて第１フローがＳＧＷへ転送され、ステップｄにおいて第１フローがＥ−ＵＴＲＡＮへ転送される）。従って、データ転送のためのフローの転送経路はａ→ｂ→ｃ→ｄであり、これは具体的には以下のようになる：
ＰＧＷ−Ｕ＋ＵＰＦ→ＮＧ−ＲＡＮ→ＰＧＷ−Ｕ＋ＵＰＦ→ＳＧＷ→Ｅ−ＵＴＲＡＮ
【００６４】
第１ユーザー・プレーン機能ネットワーク要素及び第２ユーザー・プレーン機能ネットワーク要素は、同一のユーザー・プレーン機能ネットワーク要素又は異なるユーザー・プレーン機能ネットワーク要素であってもよい。これは本発明において限定されない。
【００６５】
従って、本願のこの実施形態のデータ転送方法によれば、セッション管理機能ネットワーク要素は、フロー情報及び転送情報を、アクセス及びモビリティ管理機能ネットワーク要素へ送信し、次いでアクセス及びモビリティ管理機能ネットワーク要素は、フロー情報及び転送情報を、第２ネットワークにおけるアクセス・ネットワーク・デバイスに提供する。第２ネットワークにおけるアクセス・ネットワーク・デバイスは、フロー情報及び転送情報に基づいて、データ転送に必要なフローのみを、ユーザー・プレーン機能ネットワーク要素へ送信することができ、その結果、アクセス・ネットワーク・デバイスは、全てのフローを、ユーザー・プレーン機能ネットワーク要素へ転送する必要はなく、それにより伝送リソースを削減する。
【００６６】
オプションとして、本方法は：セッション管理機能ネットワーク要素によって、データ転送ルールを決定し、データ転送ルールを、ユーザー・プレーン機能ネットワーク要素（例えば、第２ユーザー・プレーン機能ネットワーク要素）へ送信するステップを更に含み、ここで、データ転送ルールは、第１ベアラに対応するトンネルが第１フローを転送するために使用されることを示す。このようにして、ユーザー・プレーン機能ネットワーク要素が、第２ネットワーク内のフローを第１ネットワーク内のベアラへどのようにして転送するのか、という問題が解決される。これは、図３、図４Ａ、及び図４Ｂを参照して更に説明される。
【００６７】
可能な実装では、第２ネットワーク内のアクセス・ネットワーク・デバイスは、データ転送のためのフローを最初に決定してもよい。このシナリオでは：
【００６８】
アクセス・ネットワーク・デバイス側の方法は：アクセス・ネットワーク・デバイスによって、データ転送のためのフローのリストを決定するステップであって、フロー・リストはデータ転送のためのベアラを決定するために使用される、ステップ；及びフロー・リストを、アクセス及びモビリティ管理機能ネットワーク要素へ送信するステップを含む。
【００６９】
これに対応して、アクセス及びモビリティ管理機能ネットワーク要素が、第１ベアラに関する情報を、セッション管理機能ネットワーク要素へ送信する前に、アクセス及びモビリティ管理機能ネットワーク要素における方法は更に：アクセス及びモビリティ管理機能ネットワーク要素により、フロー・リストを、アクセス及びモビリティ管理機能ネットワーク・デバイスから受信し、フロー・リストを、セッション管理機能ネットワーク要素へ送信するステップ；アクセス及びモビリティ管理機能ネットワーク要素により、データ転送のためのベアラを、セッション管理機能ネットワーク要素から学ぶステップ；及びアクセス及びモビリティ管理機能ネットワーク要素により、データ転送のためのベアラを、第１ネットワークのコア・ネットワーク制御プレーン・ネットワーク要素に指示するステップを含む。
【００７０】
これに対応して、セッション管理機能ネットワーク要素が、第１ベアラに関する情報を、アクセス及びモビリティ管理機能ネットワーク要素から受信する前に、セッション管理機能ネットワーク要素における方法は更に：セッション管理機能ネットワーク要素により、フロー・リストを、アクセス及びモビリティ管理機能ネットワーク要素から受信するステップ；フロー・リスト及び関連情報に基づいて、データ転送のためのベアラを決定するステップ；及びデータ転送のためのベアラを、アクセス及びモビリティ管理機能ネットワーク要素に指示するステップを含む。
【００７１】
フロー・リストはフロー情報を含む。データ転送のためのベアラは、フロー・リスト内のフローに関連付けられ、データ転送のためのベアラは第１ベアラを含む。このシナリオにおける動作は、図５を参照して更に説明される。
【００７２】
別の可能な実装において、セッション管理機能ネットワーク要素は、データ転送のためのフローを最初に決定してもよい。このシナリオでは：
【００７３】
セッション管理機能ネットワーク要素が、第１ベアラに関する情報を、アクセス及びモビリティ管理機能ネットワーク要素から受信する前に、セッション管理機能ネットワーク要素における方法は更に：セッション管理機能ネットワーク要素により、関連情報に基づいて、データ転送のためのベアラを決定するステップ；及びデータ転送のためのベアラを、アクセス及びモビリティ管理機能ネットワーク要素に指示するステップを含む。
【００７４】
これに対応して、アクセス及びモビリティ管理機能ネットワーク要素が、第１ベアラに関する情報を、セッション管理機能ネットワーク要素へ送信する前に、アクセス及びモビリティ管理機能ネットワーク要素側の方法は、更に：アクセス及びモビリティ管理機能ネットワーク要素により、データ転送のためのベアラを、セッション管理機能ネットワーク要素から学ぶステップ；及びデータ転送のためのベアラを、第１ネットワークにおけるコア・ネットワーク制御プレーン・ネットワーク要素に指示するステップを含む。
【００７５】
データ転送のためのベアラは第１ベアラを含む。このシナリオにおける動作は、図６を参照して更に説明される。
【００７６】
前述の２つのシナリオにおいて、アクセス及びモビリティ管理機能ネットワーク要素により、データ転送のためのベアラを、第１ネットワークにおけるコア・ネットワーク制御プレーン・ネットワーク要素に指示することは：アクセス及びモビリティ管理機能ネットワーク要素により、リクエスト・メッセージを、第１ネットワークにおけるコア・ネットワーク制御プレーン・ネットワーク要素へ送信することを含み、リクエスト・メッセージは、第１ネットワークにおけるアクセス・ネットワーク・デバイスへ送信されるべき情報を含み、第１ネットワークにおけるアクセス・ネットワーク・デバイスへ送信されるべき情報は、データ転送のためのベアラを示す。例えば、第１ネットワーク内のアクセス・ネットワーク・デバイスへ送信されるべき情報は、トランスペアレント・コンテナである。これは、図５及び図６を参照して更に説明される。
【００７７】
図４Ａ及び図４Ｂは、本発明の実施形態によるデータ転送方法のシグナリング相互作用の図である。図４Ａ及び図４Ｂは、ＵＥと、第１ネットワークにおけるアクセス・ネットワーク・デバイスと、コア・ネットワーク制御プレーン機能ネットワーク要素と、第２ネットワークにおけるアクセス・ネットワーク・デバイスと、アクセス及びモビリティ管理機能ネットワーク要素と、第１ネットワーク及び第２ネットワークにおけるネットワーク要素の統合によって得られるセッション管理機能ネットワーク要素と、ユーザー・プレーン機能ネットワーク要素との間の相互作用に関連する。図４Ａ及び図４Ｂでは、第１ネットワークにおけるアクセス・ネットワーク・デバイスがＥ−ＵＴＲＡＮであり、コア・ネットワーク制御プレーン機能ネットワーク要素がＭＭＥであり、第２ネットワークにおけるアクセス・ネットワーク・デバイスがＮＧ−ＲＡＮであり、アクセス及びモビリティ管理機能ネットワーク要素がＡＭＦであり、第１ネットワーク及び第２ネットワークにおけるネットワーク要素の統合によって得られるセッション管理機能ネットワーク要素がＰＧＷ−Ｃ＋ＳＭＦであり、ユーザー・プレーン機能ネットワーク要素がＰＧＷ−Ｕ＋ＵＰＦである例を用いて説明が行われる。図４Ａ及び図４Ｂに示すように、本方法は以下のステップを含む。
【００７８】
ステップ４００：ＰＤＵセッション及び１つ以上のＱｏＳフローを５Ｇネットワーク内の相互作用を介して確立し、このプロセスにおいて、ＳＭＦは、１つ以上のＱｏＳフローを、４Ｇネットワーク内の１つ以上のＥＰＳベアラにマッピングし、１つ以上のＱｏＳフローと１つ以上のＥＰＳベアラとの間の関連性を取得する。
【００７９】
ステップ４０１：ＮＧ−ＲＡＮが、ＵＥはＥ−ＵＴＲＡＮへハンドオーバーされるべきであると判断する。例えば、新しいワイヤレス条件又は負荷バランス要件、又は特定のＱｏＳフロー要件が生成されると、ＮＧ−ＲＡＮは４Ｇネットワークへのハンドオーバーをトリガする。ＮＧ−ＲＡＮはハンドオーバー要求（Ｈａｎｄｏｖｅｒ  Ｒｅｑｕｉｒｅｄ）メッセージをＡＭＦへ送信する。ハンドオーバー要求メッセージは、４Ｇネットワーク内のターゲット基地局（例えば、ターゲットｅＮＢ  ＩＤ）の識別子を含む。
【００８０】
ステップ４０２ａ：ＡＭＦは、４Ｇネットワーク内のターゲット基地局の識別子であってハンドオーバー要求メッセージで搬送される識別子に基づいて、ハンドオーバーがＥ−ＵＴＲＡＮへのハンドオーバーであることを学び、そして、セッション管理コンテキスト（ｓｅｓｓｉｏｎ  ｍａｎａｇｅｍｅｎｔ  ｃｏｎｔｅｘｔ，  ＳＭ  Ｃｏｎｔｅｘｔ）を要求するために、ＳＭコンテキスト・リクエスト（ＳＭ  Ｃｏｎｔｅｘｔ  Ｒｅｑｕｅｓｔ）メッセージを、ＵＥに対応するＰＧＷ−Ｃ＋ＳＭＦへ送信する。
【００８１】
ステップ４０２ｂ：ＡＭＦが、ＳＭコンテキストを含むＳＭコンテキスト・レスポンス（ＳＭ  Ｃｏｎｔｅｘｔ  Ｒｅｓｐｏｎｓｅ）メッセージを、ＰＧＷ−Ｃ＋ＳＭＦから受信する。
【００８２】
ステップ４０３：ＡＭＦがＭＭＥを選択し、リロケーション・リクエスト（Ｒｅｌｏｃａｔｉｏｎ  Ｒｅｑｕｅｓｔ，リコンフィギュレーション・リクエストとも呼ばれる）メッセージをＭＭＥへ送信し、ここで、リロケーション・リクエスト・メッセージは、４Ｇネットワークにおけるターゲット基地局の識別子及びＳＭコンテキストを運ぶ。
【００８３】
ステップ４０４：ＭＭＥがＳＧＷを選択し、作成セッション・リクエスト（Ｃｒｅａｔｅ  Ｓｅｓｓｉｏｎ  Ｒｅｑｕｅｓｔ）メッセージをＳＧＷへ送信する。
【００８４】
ステップ４０５：ＳＧＷがローカル・リソースを割り当て、作成セッション・レスポンス（Ｃｒｅａｔｅ  Ｓｅｓｓｉｏｎ  Ｒｅｓｐｏｎｓｅ）メッセージをＭＭＥへ返す。
【００８５】
ステップ４０６：ＭＭＥが、４Ｇネットワーク内のターゲット基地局の識別子に基づいて、ハンドオーバー・リクエスト（Ｈａｎｄｏｖｅｒ  Ｒｅｑｕｅｓｔ）メッセージを、Ｅ−ＵＴＲＡＮ内のターゲット基地局へ送信し、ここで、ハンドオーバー・リクエスト・メッセージは、ＥＰＳベアラを確立することを要求するために、確立されることを要するＥＰＳベアラの識別子を運んでいる。
【００８６】
ステップ４０７：Ｅ−ＵＴＲＡＮのターゲット基地局が、リソースを割り当て、ハンドオーバー・リクエスト・アクノリッジメント・メッセージ（Ｈａｎｄｏｖｅｒ  Ｒｅｑｕｅｓｔ  Ａｃｋ）をＭＭＥに返し、ここで、ハンドオーバー・リクエスト・アクノリッジメント・メッセージは、ＥＰＳベアラ・セットアップ・リスト（ＥＰＳ  Ｂｅａｒｅｒｓ  ｓｅｔｕｐ  ｌｉｓｔ）とＥＰＳベアラ・セットアップ失敗リスト（ＥＰＳ  Ｂｅａｒｅｒｓ  ｆａｉｌｅｄ  ｔｏ  ｓｅｔｕｐ  ｌｉｓｔ）とを含む。換言すれば、ＭＭＥがＥ−ＵＴＲＡＮに確立することを要求したＥＰＳベアラにおいて、１つ又は幾つかのＥＰＳベアラしか首尾よく確立されておらず、他のＥＰＳベアラは確立することに失敗している可能性がある。
【００８７】
ステップ４０８：ＭＭＥが、データを転送すること（即ち、図３に示す転送経路に基づいてダウンリンク・データを転送すること）を決定した場合、ＭＭＥは、作成インダイレクト・データ転送トンネル・リクエスト（Ｃｒｅａｔｅ  Ｉｎｄｉｒｅｃｔ  Ｄａｔａ  Ｆｏｒｗａｒｄｉｎｇ  Ｔｕｎｎｅｌ  Ｒｅｑｕｅｓｔ）メッセージをＳＧＷへ送信し、そのメッセージは、ダウンリンク・データ転送に使用されるＥ−ＵＴＲＡＮ内のターゲット基地局の識別情報を運んでいる。例えば、Ｅ−ＵＴＲＡＮ内のターゲット基地局の識別情報は、ダウンリンク・データ転送に使用され、Ｅ−ＵＴＲＡＮ内のターゲット基地局のＴＥＩＤを含む。オプションとして、Ｅ−ＵＴＲＡＮ内のターゲット基地局の識別情報は、ダウンリンク・データ転送のために使用され、Ｅ−ＵＴＲＡＮ内のターゲット基地局のアドレスを更に含む。
【００８８】
ＳＧＷは、作成インダイレクト・データ転送トンネル・レスポンス（Ｃｒｅａｔｅ  Ｉｎｄｉｒｅｃｔ  Ｄａｔａ  Ｆｏｒｗａｒｄｉｎｇ  Ｔｕｎｎｅｌ  Ｒｅｓｐｏｎｓｅ）メッセージをＭＭＥに返す。メッセージは、ダウンリンク・データ転送に使用されるＳＧＷ情報を運ぶ。例えば、ダウンリンク・データ転送に使用されるＳＧＷ情報は、ＳＧＷのＴＥＩＤを含む。オプションとして、ダウンリンク・データ転送に使用されるＳＧＷ情報は、ＳＧＷのアドレスを更に含む。
【００８９】
ステップ４０９：ＭＭＥが、リロケーション・レスポンス（Ｒｅｌｏｃａｔｉｏｎ  Ｒｅｓｐｏｎｓ、これはリコンフィギュレーション・リクエストと呼ばれる場合もある）メッセージを、ＡＭＦへ送信し、リロケーション・レスポンス・メッセージは、ダウンリンク・データ転送に使用されるＳＧＷ情報を運ぶ。
【００９０】
ステップ４１０ａ：データが転送されるべき場合、ＡＭＦは、作成インダイレクト・データ転送トンネル・リクエスト・メッセージを、ＰＧＷ−Ｃ＋ＳＭＦへ送信し、このメッセージは、ダウンリンク・データ転送に使用されるＳＧＷ情報（即ち、首尾よく確立されたＥＰＳベアラに関する情報であり、首尾よく確立されたＥＰＳベアラは第１ベアラを含む）を運ぶ。
【００９１】
ステップ４１０ｂ：ＰＧＷ−Ｃ＋ＳＭＦは、ダウンリンク・データ転送に使用されるＳＧＷ情報を、ＰＧＷ−Ｕ＋ＵＰＦへ送信する。例えば、ＰＧＷ−Ｃ＋ＳＭＦは、ＰＧＷ−Ｕ＋ＵＰＦとともに相互作用し、Ｎ４セッション修正（Ｎ４  Ｓｅｓｓｉｏｎ  Ｍｏｄｉｆｉｃａｔｉｏｎ）プロセスにおいて、ダウンリンク・データ転送に使用されるＳＧＷ情報を、ＰＧＷ−Ｕ＋ＵＰＦへ送信する。同様に、ＳＧＷ情報はＳＧＷのＴＥＩＤを含む。例えば、ＳＧＷのＴＥＩＤは、ダウンリンク・データ転送のために使用されるＳＧＷ  ＴＥＩＤ（ＳＧＷ  Ｆ−ＴＥＩＤと呼ばれることがある）であってもよい。オプションとして、ＳＧＷ情報は、ＳＧＷのアドレスを更に含んでもよい。
【００９２】
ステップ４１０ｂにおいて、データ転送のためのコア・ネットワーク・トンネル情報（ＣＮ  ｔｕｎｎｅｌ  ｉｎｆｏｒｍａｔｉｏｎ  ｆｏｒ  ｄａｔａ  ｆｏｒｗａｒｄｉｎｇ）もまた割り当てられる。可能な実装において、データ転送のためのコア・ネットワーク・トンネル情報は、ＰＧＷ−Ｃ＋ＳＭＦによって割り当てられる。ＰＧＷ−Ｃ＋ＳＭＦは、データ転送のために割り当てられたコア・ネットワーク・トンネル情報を、ＰＧＷ−Ｕ＋ＵＰＦへ送信し、ＰＧＷ−Ｕ＋ＵＰＦは応答をＰＧＷ−Ｃ＋ＳＭＦに返す。別の可能な実装において、データ転送のためのコア・ネットワーク・トンネル情報は、ＰＧＷ−Ｕ＋ＵＰＦによって割り当てられ、応答メッセージを利用してＰＧＷ−Ｃ＋ＳＭＦに提供される。
【００９３】
データ転送のために割り当てられたコア・ネットワーク・トンネル情報は、転送情報として使用される可能性がある。情報は、セッションの粒度におけるものであってもよいし、フローの粒度におけるものであってもよい。詳細はここでは繰り返さない。
【００９４】
ステップ４１０ｃ：ＰＧＷ−Ｃ＋ＳＭＦは、ステップ４１０ａで取得された首尾よく確立されたＥＰＳベアラに関する情報（ダウンリンク・データ転送に使用されるＳＧＷ情報）及びステップ４００で取得されたＱｏＳフローとＥＰＳベアラとの間の関連性に基づいて、データ転送のためのフロー（第１フローを含む）を決定する。即ち、ＰＧＷ−Ｃ＋ＳＭＦは、ステップ４００で取得されたＱｏＳフローとＥＰＳベアラとの間の関連性に基づいて、ステップ４１０ａで取得される首尾よく確立されたＥＰＳベアラに関する情報（ダウンリンク・データ転送に使用されるＳＧＷ情報）を、データ転送のためのフロー（第１フローを含む）にマッピングする。
【００９５】
ＰＧＷ−Ｃ＋ＳＭＦは、作成インダイレクト・データ転送トンネル・レスポンス・メッセージをＡＭＦに返す。メッセージは、データ転送のためのフローに関するフロー情報（第１フローを含む）と、データ転送のためのコア・ネットワーク・トンネル情報（転送情報）とを運ぶ。
【００９６】
ステップ４１１ａ：ＡＭＦが、ハンドオーバー・コマンド（Ｈａｎｄｏｖｅｒ  Ｃｏｍｍａｎｄ）メッセージをＮＧ−ＲＡＮへ送信し、メッセージは、データ転送のためのフロー（第１フローを含む）のフロー情報と、データ転送のためのコア・ネットワーク・トンネル情報（即ち、転送情報）とを運ぶ。フロー情報に示されるＱｏＳフローに関し、ＮＧ−ＲＡＮはＱｏＳフローをＰＧＷ−Ｕ＋ＵＰＦへ送信する。フロー情報に含まれないＱｏＳフローについては、ＮＧ−ＲＡＮはＱｏＳフローをＰＧＷ−Ｕ＋ＵＰＦへ送信しない。
【００９７】
ステップ４１１ｂ：ＮＧ−ＲＡＮはハンドオーバー・コマンド・メッセージをＵＥへ送信する。
【００９８】
このとき、図３に示すａ→ｂ→ｃ→ｄの転送経路、即ちＰＧＷ−Ｕ＋ＵＰＦ→ＮＧ−ＲＡＮ→ＰＧＷ−Ｕ＋ＵＰＦ→ＳＧＷ→Ｅ−ＵＴＲＡＮを用いてダウンリンク・データ（例えば、第１フロー）を転送する。
【００９９】
ステップ４１２ａ：ＵＥがＥ−ＵＴＲＡＮ内のターゲット基地局に首尾よくアクセスした後、ＵＥは、ハンドオーバー完了（Ｈａｎｄｏｖｅｒ  Ｃｏｍｐｌｅｔｅ）メッセージを、Ｅ−ＵＴＲＡＮへ送信する。
【０１００】
ステップ４１２ｂ：Ｅ−ＵＴＲＡＮは、ハンドオーバー通知（Ｈａｎｄｄｏｖｅｒ  Ｎｏｔｉｆｙ）メッセージをＭＭＥに送信する。
【０１０１】
ステップ４１３：ＭＭＥがベアラ修正リクエスト（Ｍｏｄｉｆｙ  Ｂｅａｒｅｒ  Ｒｅｑｕｅｓｔ）メッセージをＳＧＷへ送信し、ＵＥによって確立された１つ以上のベアラに対してＭＭＥが責任を負うことをＳＧＷに通知する。確立に失敗したＥＰＳベアラに関し、ＭＭＥはＥＰＳベアラのコンテキストを解放する。
【０１０２】
ステップ４１４ａ：ＳＧＷが修正ベアラ・リクエスト・メッセージをＰＧＷ−Ｃ＋ＳＭＦへ送信する。
【０１０３】
ステップ４１４ｂ：ＰＧＷ−Ｃ＋ＳＭＦが、Ｓｘセッション修正（Ｓｘ  Ｓｅｓｓｉｏｎ  Ｍｏｄｉｆｉｃａｔｉｏｎ）を実行するために、ＰＧＷ−Ｕ＋ＵＰＦと相互作用する。ＰＧＷ−Ｕ＋ＵＰＦは、ＥＰＳベアラＩＤが割り当てられていないＱｏＳフローを削除する。オプションとして、ＰＧＷ−Ｕ＋ＵＰＦは削除されたＱｏＳフローをデフォルトＱｏＳフローにマッピングする。
【０１０４】
ステップ４１５：ＰＧＷ−Ｃ＋ＳＭＦが、修正ベアラ応答（Ｍｏｄｉｆｙ  Ｂｅａｒｅｒ  Ｒｅｓｐｏｎｓｅ）メッセージをＳＧＷへ送信する。
【０１０５】
このとき、ＵＥ、Ｅ−ＵＴＲＡＮ、ＳＧＷ、及びＰＧＷ−Ｕ＋ＵＰＦ間のユーザー・プレーン経路（通常のダウンリンク・データの経路、即ち、図３のａ’→ｂ’とも呼ばれてもよい）が確立される。
【０１０６】
ステップ４１６：ＳＧＷが修正ベアラ応答をＭＭＥへ送信し、ユーザー・プレーン経路へのハンドオーバーを確認する。即ち、経路ＰＧＷ−Ｕ＋ＵＰＦ→ＳＧＷ→Ｅ−ＵＴＲＡＮを使用することにより、ダウンリンク・データが伝送される。
【０１０７】
オプションとして、データ転送のためのフローが複数のベアラに対応している場合、１つ以上のトンネルが、転送を実現するために使用されることが可能である。例えば、複数のベアラは、転送のためのトンネルを形成してもよく、また、複数のベアラの各々は、転送のためのトンネルを形成してもよい。これは、本発明において限定されない。
【０１０８】
オプションとして、ステップ４１０ｂにおいて、ＰＧＷ−Ｃ＋ＳＭＦは更にデータ転送ルールを決定し、データ転送ルールをＰＧＷ−Ｕ＋ＵＰＦへ送信する。データ転送ルールは、第１ベアラに対応するトンネルが第１フローを転送するために使用されることを示す。従って、データ転送のためのフローを受信した後、ＰＧＷ−Ｕ＋ＵＰＦは、転送ルールに従って、フローに対応するベアラを決定し、ベアラに対応するトンネルを利用することによりフローを更に転送することができる。
【０１０９】
図５は、本発明の実施形態によるデータ転送方法の別のシグナリング相互作用図である。図５は、ＮＧ−ＲＡＮがデータ転送のためのフローを決定する状況に適用可能である。図５は、図４Ａ及び図４Ｂを参照して説明される。図５に示すように、本方法は以下のステップを含む。
【０１１０】
ステップ５００：ＰＤＵセッション及び１つ以上のＱｏＳフローを５Ｇネットワーク内の相互作用を介して確立し、このプロセスにおいて、ＳＭＦは、１つ以上のＱｏＳフローを、４Ｇネットワーク内の１つ以上のＥＰＳベアラにマッピングし、１つ以上のＱｏＳフローと１つ以上のＥＰＳベアラとの間の関連性を取得する。
【０１１１】
ステップ５０１：ＮＧ−ＲＡＮが、ＵＥはＥ−ＵＴＲＡＮにハンドオーバーされるべきであると判断する。例えば、新しい無線条件又は負荷バランス要件、又は特定のＱｏＳフロー要件が生成されると、ＮＧ−ＲＡＮは４Ｇネットワークへのハンドオーバーをトリガする。
【０１１２】
更に、ＮＧ−ＲＡＮはデータ転送のためのフローのリストを決定する。例えば、ＮＧ−ＲＡＮは、フローのＱｏＳ情報（ＱｏＳプロファイル）をＳＭＦから取得し、そして、データ転送のためのフローのリストを生成するために、ＱｏＳ情報に基づいて、データ転送に必要な特定のフローを決定することができる。フロー・リスト内の１つ以上のフローは、データ転送のための１つ以上のフローである。例えば、フロー・リストは、データ転送のための１つ以上のフローのＱＦＩを含む。
【０１１３】
ＮＧ−ＲＡＮは、ハンドオーバー要求メッセージをＡＭＦへ送信する。ハンドオーバー要求メッセージは、４Ｇネットワーク内のターゲット基地局の識別子、ターゲット基地局へ送信されるべき情報、及びデータ転送のためのフローのリストを含む。ターゲット基地局へ送信されるべき情報は、トランスペアレント・コンテナ（Ｔｒａｎｓｐａｒｅｎｔ  Ｃｏｎｔａｉｎｅｒ）であってもよい。より具体的には、ターゲット基地局へ送信されるべき情報は、ソースからターゲットへのトランスペアレント・コンテナ（Ｓｏｕｒｃｅ  ｔｏ  Ｔａｒｇｅｔ  Ｔｒａｎｓｐａｒｅｎｔ  Ｃｏｎｔａｉｎｅｒ）であってもよい。
【０１１４】
ステップ５０２ａ：ＡＭＦが、４Ｇネットワーク内のターゲット基地局の識別子であって、ハンドオーバー要求メッセージで運ばれる識別子に基づいて、ハンドオーバーはＥ−ＵＴＲＡＮへのハンドオーバーであることを学び、ＳＭコンテキストを要求するために、フロー・リストを運ぶＳＭコンテキスト要求メッセージを、ＵＥに対応するＰＧＷ−Ｃ＋ＳＭＦへ送信する。
【０１１５】
ステップ５０２ｂ：ＰＧＷ−Ｃ＋ＳＭＦが、１つ以上のＱｏＳフローと１つ以上のＥＰＳベアラとの間で、ステップ５００で獲得したフロー・リスト及び関連性に基づいて、データ転送のための１つ以上のベアラを決定する。データ転送のための１つ以上のベアラは、１対１の方式で、フロー・リスト内の１つ以上のフローに関連付けられる。
【０１１６】
ステップ５０２ｃ：ＡＭＦが、ＳＭコンテキストを含むＳＭコンテキスト応答メッセージを、ＰＧＷ−Ｃ＋ＳＭＦから受信する。ＰＧＷ−Ｃ＋ＳＭＦは更に、ＳＭコンテキスト応答メッセージを使用することによって、データ転送のための１つ以上のベアラをＡＭＦに指示することができる。
【０１１７】
ステップ５０３：ＡＭＦが、ＭＭＥを選択し、リロケーション・リクエスト・メッセージをＭＭＥへ送信し、ここで、リロケーション・リクエスト・メッセージは、４Ｇネットワーク内のターゲット基地局の識別子及びＳＭコンテキストを運ぶ。
【０１１８】
ＡＭＦは更に、リロケーション・リクエスト・メッセージを使用することによって、データ転送のための１つ以上のベアラを、ＭＭＥに指示することができる。例えば、リロケーション・リクエスト・メッセージは、ターゲット基地局へ送信されるべき情報を運び、ターゲット基地局へ送信されるべき情報は、データ転送のための１つ以上のベアラを示すことができる。例えば、ＡＭＦは、ターゲット基地局へ送信されるべき情報の中に、データ転送のための１つ以上のベアラの関連情報を挿入する。従って、ターゲット基地局へ送信されるべき情報は、データ転送のための１つ以上のベアラの関連情報を含む。
【０１１９】
ステップ５０４：ＭＭＥがＳＧＷを選択し、作成セッション・リクエスト・メッセージをＳＧＷへ送信する。
【０１２０】
ステップ５０５：ＳＧＷがローカル・リソースを割り当て、作成セッション・レスポンス・メッセージをＭＭＥに返す。
【０１２１】
ステップ５０６：ＭＭＥは、４Ｇネットワーク内のターゲット基地局の識別子に基づいて、ハンドオーバー・リクエスト・メッセージをＥ−ＵＴＲＡＮ内のターゲット基地局へ送信し、ハンドオーバー・リクエスト・メッセージは、ターゲット基地局へ送信されるべき情報を運ぶ。即ち、ＭＭＥは、データ転送のための１つ以上のベアラをＥ−ＵＴＲＡＮに指示する。ターゲット基地局へ送信されるべき情報を受信した後、Ｅ−ＵＴＲＡＮ内のターゲット基地局は、データ転送のための１つ以上のベアラの関連情報を、ターゲット基地局へ送信されるべき情報から取得し、更に、データ転送のための１つ以上のベアラに、特定のトンネル識別子を割り当てる。
【０１２２】
ステップ５０７〜５１１ｂは、図４Ａ及び図４Ｂのステップ４０７〜４１１ｂと同様である。図４Ａ及び図４Ｂの説明を参照することが可能であり、詳細はここでは繰り返さない。
【０１２３】
図５の例では、ＮＧ−ＲＡＮは先ず、データ転送のためのフローのリストを決定し、ＰＧＷ−Ｃ＋ＳＭＦは、関連情報に基づいて、１つ以上のフローを、データ転送のための１つ以上のベアラにマッピングすることに留意すべきである。データ転送用の１つ以上のベアラは、ＰＧＷ−Ｃ＋ＳＭＦ、ＡＭＦ、及びＭＭＥを介して、Ｅ−ＵＴＲＡＮ内のターゲット基地局へ最終的に送信され、Ｅ−ＵＴＲＡＮ内のターゲット基地局は、データ転送用のベアラの中で、首尾よく確立することが可能な特定のベアラを決定する。データ転送に必要とされ且つ首尾よく確立されたこれらのベアラは、ステップ５０７、５０９、及び５１０ａを使用することによってＰＧＷ−Ｃ＋ＳＭＦへ転送され、ＰＧＷ−Ｃ＋ＳＭＦは、関連情報に基づいて、最終的にデータ転送を実行することが可能な１つ以上のフローにベアラを再度マッピングする。従って、ＰＧＷ−Ｃ＋ＳＭＦは、マッピングを２回実行し、最終的なマッピング後に得られるフローは、データ転送のためのフローのリストのサブセットである可能性があり、これはＮＧ−ＲＡＮによって決定される。換言すれば、フロー・リストは第１フローを含み、ステップ５０２ｂで決定されるデータ転送のための１つ以上のベアラは、第１ベアラを含む。
【０１２４】
更に、Ｅ−ＵＴＲＡＮ内のターゲット基地局は、ＭＭＥによって指示されるデータ転送のための１つ以上のベアラに基づいて、トンネル識別子を割り当てる。従来技術では、Ｅ−ＵＴＲＡＮ内のターゲット基地局は、転送されるデータ及び通常のダウンリンク・データを受信するために１つのトンネル識別子を使用する。その結果、経路ハンドオーバー後に混乱が発生する場合があり、伝送パフォーマンスの劣化を引き起こす可能性がある。しかしながら、本発明では、Ｅ−ＵＴＲＡＮ内のターゲット基地局が、ＭＭＥにより指示されるデータ転送のための１つ以上のベアラに基づいて、トンネル識別子を割り当てる。このように、転送されるダウンリンク・データ及び通常のダウンリンク・データは、異なるトンネル識別子を使用することによって互いに区別され、それによって下りリンク・データの混乱を回避する。
【０１２５】
図６は、本発明の実施形態によるデータ転送方法の更に別のシグナリング相互作用図である。図６は、ＰＧＷ−Ｃ＋ＳＭＦがデータ転送のためのフローを決定する状況に適用可能である。図６は、図４Ａ、図４Ｂ、及び図５を参照して説明される。図６に示すように、本方法は以下のステップを含む。
【０１２６】
ステップ６００：ＰＤＵセッション及び１つ以上のＱｏＳフローを５Ｇネットワーク内の相互作用を介して確立し、このプロセスにおいて、ＳＭＦは、１つ以上のＱｏＳフローを、４Ｇネットワーク内の１つ以上のＥＰＳベアラにマッピングし、１つ以上のＱｏＳフローと１つ以上のＥＰＳベアラとの間の関連性を取得する。
【０１２７】
ステップ６０１：ＮＧ−ＲＡＮが、ＵＥはＥ−ＵＴＲＡＮにハンドオーバーされるべきであると判断する。例えば、新しい無線条件又は負荷バランス要件、又は特定のＱｏＳフロー要件が生成されると、ＮＧ−ＲＡＮは４Ｇネットワークへのハンドオーバーをトリガする。ＮＧ−ＲＡＮは、ハンドオーバー要求メッセージをＡＭＦへ送信する。ハンドオーバー要求メッセージには、４Ｇネットワーク内のターゲット基地局の識別子と、ターゲット基地局へ送信されるべき情報とを含む。ターゲット基地局へ送信されるべき情報は、トランスペアレント・コンテナであってもよい。より具体的には、ターゲット基地局へ送信されるべき情報は、ソースからターゲットへのトランスペアレント・コンテナであってもよい。
【０１２８】
ステップ６０２ａ：ＡＭＦが、４Ｇネットワーク内のターゲット基地局の識別子であってハンドオーバー要求メッセージで運ばれる識別子に基づいて、ハンドオーバーはＥ−ＵＴＲＡＮへのハンドオーバーであることを学び、ＳＭコンテキストを要求するために、ＳＭコンテキスト・リクエスト・メッセージを、ＵＥに対応するＰＧＷ−Ｃ＋ＳＭＦへ送信する。
【０１２９】
ステップ６０２ｂ：ＰＧＷ−Ｃ＋ＳＭＦは、データ転送のフローのリストを決定する。例えば、ＰＧＷ−Ｃ＋ＳＭＦは、フローのＱｏＳ情報（ＱｏＳプロファイル）を記憶し、ＱｏＳ情報に基づいて、データ転送に必要なフローを決定し、データ転送のためのフローのリストを生成する。フロー・リスト内の１つ以上のフローは、データ転送のための１つ以上のフローである。例えば、フロー・リストは、データ転送のための１つ以上のフローのＱＦＩを含む。
【０１３０】
ＰＧＷ−Ｃ＋ＳＭＦは、ステップ６００で取得されたフロー・リスト及び関連性に基づいて、１つ以上のＱｏＳフローと１つ以上のＥＰＳベアラとの間のデータ転送のための１つ以上のベアラを決定する。データ転送のための１つ以上のベアラは、１対１の方式で、フロー・リスト内の１つ以上のフローに関連付けられる。
【０１３１】
ステップ６０２ｃ〜６０６は、図５のステップ５０２ｃ〜５０６と同様である。図５の説明を参照することが可能であり、詳細はここでは繰り返さない。
【０１３２】
ステップ６０７〜６１１ｂは、図４Ａ及び図４Ｂのステップ４０７〜４１１ｂと同様である。図４Ａ及び図４Ｂの説明を参照することが可能であり、詳細はここでは繰り返さない。
【０１３３】
図６の例では、ＰＧＷ−Ｃ＋ＳＭＦは、先ずデータ転送のためのフローのリストを決定し、関連情報に基づいて、１つ以上のフローを、データ転送のための１つ以上のベアラにマッピングすることに留意すべきである。データ転送のための１つ以上のベアラは、ＰＧＷ−Ｃ＋ＳＭＦ、ＡＭＦ、ＭＭＥを介して、ターゲット基地局へ最終的に伝達され、Ｅ−ＵＴＲＡＮ内のターゲット基地局は、データ転送用のこれらのベアラの中で、首尾よく確立され得る特定のベアラを決定する。データ転送に必要であり且つ首尾よく確立されたこれらのベアラは、ステップ６０７、６０９、及び６１０ａを使用することによってＰＧＷ−Ｃ＋ＳＭＦに転送され、ＰＧＷ−Ｃ＋ＳＭＦは再び関連情報に基づいて、最終的にデータ転送を実現することが可能な１つ以上のフローにベアラをマッピングする。従って、ＰＧＷ−Ｃ＋ＳＭＦは２回マッピングを実行し、最終的なマッピングの後に得られるフローは、ＰＧＷ−Ｃ＋ＳＭＦによって決定される、データ転送のためのフローのリストのサブセットである可能性がある。換言すれば、フロー・リストは第１フローを含み、ステップ６０２ｂで決定されるデータ転送のための１つ以上のベアラは、第１ベアラを含む。
【０１３４】
更に、Ｅ−ＵＴＲＡＮのターゲット基地局は、ＭＭＥにより指示されるデータ転送のための１つ以上のベアラに基づいて、トンネル識別子を割り当てる。従来技術では、Ｅ−ＵＴＲＡＮ内のターゲット基地局は、転送データ及び通常のダウンリンク・データを受信するために、１つのトンネル識別子を使用する。その結果、パス・ハンドオーバー後に混乱が発生し、伝送パフォーマンスの劣化を引き起こす可能性がある。しかしながら、本発明では、Ｅ−ＵＴＲＡＮ内のターゲット基地局が、ＭＭＥにより指示されるデータ転送のための１つ以上のベアラに基づいて、トンネル識別子を割り当てる。このように、転送されたダウンリンク・データ及び通常のダウンリンク・データは、異なるトンネル識別子を使用することによって互いに区別され、それによりダウンリンク・データの混乱を回避する。
【０１３５】
図４Ａから図６のメッセージは、他の名称を有してもよいことに留意すべきである。更に、ネットワーク要素間の情報伝送はまた、サービス指向アーキテクチャにおいてネットワーク要素のネットワーク機能を呼び出すことによって実現される可能性もある。これは、本発明において限定されない。
【０１３６】
本願において提供される前述の実施形態において、本願の実施形態において提供されるデータ転送方法のようなソリューションは、ネットワーク要素、及びネットワーク要素間の相互作用の観点から説明される。前述の機能を実現するために、セッション管理機能ネットワーク要素、アクセス及びモビリティ管理機能ネットワーク要素、又はアクセス・ネットワーク・デバイスのようなネットワーク要素は、機能を実現するための対応するハードウェア構造及び／又はソフトウェア・モジュールを含むことが理解され得る。当業者は、本願に開示された実施形態を参照して説明される各実施例のユニット及びアルゴリズム・ステップは、ハードウェアの形態、又はハードウェア及びコンピュータ・ソフトウェアの組み合わせの形態で本願において実装可能であることに容易に気づくであろう。機能がハードウェア、又はハードウェアを駆動するコンピュータ・ソフトウェアにより実装されるかどうかは、特定のアプリケーション、及び技術的ソリューションの設計制約条件に依存する。当業者は、特定のアプリケーションの各々について、説明された機能を実装するために様々な方法を利用する可能性があるが、その実装が本願の範囲を超えるものであると考えられるべきではない。
【０１３７】
例えば、前述のネットワーク要素が、図７に示すように、ソフトウェア・モジュールを使用することにより対応する機能を実装する場合、セッション管理機能ネットワーク要素は、受信モジュール７０１、処理モジュール７０２、及び送信モジュール７０３を含む可能性がある。セッション管理機能ネットワーク要素は、図２及び図４Ａないし図６におけるセッション管理機能ネットワーク要素又はＰＧＷ−Ｃ＋ＳＭＦの動作を実行するように構成されることが可能である。例えば：
【０１３８】
受信モジュール７０１は、第１ネットワーク内の第１ベアラに関する情報を、アクセス及びモビリティ管理機能ネットワーク要素から受信するように構成される。送信モジュール７０３は、第２ネットワーク内の第１フローのフロー情報及び転送情報を、アクセス及びモビリティ管理機能ネットワーク要素へ送信するように構成される。フロー情報はデータ転送のためのフローを示し、転送情報は、第１フローを、第１ベアラに対応するトンネルへ転送するために使用される。
【０１３９】
従って、セッション管理機能ネットワーク要素は、フロー情報及び転送情報を、アクセス及びモビリティ管理機能ネットワーク要素へ送信し、次いでアクセス及びモビリティ管理機能ネットワーク要素は、フロー情報及び転送情報を、第２ネットワークにおけるアクセス・ネットワーク・デバイスに提供する。第２ネットワークにおけるアクセス・ネットワーク・デバイスは、フロー情報及び転送情報に基づいて、データ転送に必要なフローのみを、ユーザー・プレーン機能ネットワーク要素へ送信することができ、そのためアクセス・ネットワーク・デバイスは全てのフローをユーザー・プレーン機能ネットワーク要素へ転送する必要はなく、それにより伝送リソースを削減する。
【０１４０】
オプションとして、処理モジュール７０２は、第１ベアラ及び関連情報に関する情報に基づいて第１フローを決定するように構成される。関連情報は、第１フローと第１ベアラとの間の関連性を示す。
【０１４１】
オプションとして、第１ネットワークにおける第１ベアラに関する情報を、アクセス及びモビリティ管理機能ネットワーク要素から受信する前に、受信モジュール７０１は、フロー・リストを、アクセス及びモビリティ管理機能ネットワーク要素から受信するように更に構成され、フロー・リストはフロー情報を含み；処理モジュール７０２は、フロー・リスト及び関連情報に基づいて、データ転送のためのベアラを決定するように更に構成され、データ転送のためのベアラはフロー・リストにおけるフローに関連付けられ、データ転送のためのベアラは第１ベアラを含み；及び送信モジュール７０３は、データ転送のためのベアラを、アクセス及びモビリティ管理機能ネットワーク要素に指示するように更に構成される。
【０１４２】
オプションとして、第１ネットワークにおける第１ベアラに関する情報が、アクセス及びモビリティ管理機能ネットワーク要素から受信される前に、処理モジュール７０２は、関連情報に基づいて、データ転送のためのベアラを決定するように更に構成され、データ転送のためのベアラは第１ベアラを含み；及び送信モジュール７０３は、データ転送のためのベアラを、アクセス及びモビリティ管理機能ネットワーク要素に指示するように更に構成される。
【０１４３】
オプションとして、第１ネットワークにおける第１ベアラに関する情報が、アクセス及びモビリティ管理機能ネットワーク要素から受信される前に、処理モジュール７０２は、フロー・リストを決定するステップであって、フロー・リストはフロー情報を含んでいる、ステップ；フロー・リスト及び関連情報に基づいて、データ転送のためのベアラを決定するステップであって、データ転送のためのベアラは第１ベアラを含む、ステップのために更に構成され、送信モジュール７０３は、データ転送のためのベアラを、アクセス及びモビリティ管理機能ネットワーク要素に指示するように更に構成される。
【０１４４】
可能な実装において、フロー情報は第２ネットワークにおける第２フローの識別情報を更に含み、転送情報は、第１フローを、第１ベアラに対応するトンネルへ転送するため、及び第２フローを、第２ベアラに対応するトンネルへ転送するために使用される。
【０１４５】
別の可能な実装において、フロー情報は第２ネットワークにおける第２フローの識別情報を更に含み、転送情報は第１転送情報及び第２転送情報を含む。第１転送情報は、第１フローを、第１ベアラに対応するトンネルへ転送するために使用され、第２転送情報は、第２フローを、第２ベアラに対応するトンネルへ転送するために使用される。更に、オプションとして、処理モジュール７０２は、第１転送情報を第１フローに割り当て、第２転送情報を第２フローに割り当てるように構成される。
【０１４６】
オプションとして、処理モジュール７０２は、データ転送ルールを決定するように更に構成され、送信モジュール７０３は、データ転送ルールを、ユーザー・プレーン機能ネットワーク要素へ送信するように更に構成される。データ転送ルールは、第１ベアラに対応するトンネルが第１フローを転送するために使用されることを示す。
【０１４７】
更に、セッション管理機能ネットワーク要素内の受信モジュール７０１、処理モジュール７０２、及び送信モジュール７０３は、前述の方法におけるセッション管理機能ネットワーク要素又はＰＧＷ−Ｃ＋ＳＭＦの他の動作又は機能を更に実装してもよい。詳細はここでは繰り返さない。
【０１４８】
図８に示すように、アクセス及びモビリティ管理機能ネットワーク要素は、受信モジュール８０１、処理モジュール８０２、及び送信モジュール８０３を含む可能性がある。アクセス及びモビリティ管理機能ネットワーク要素は、図２及び図４Ａないし図６におけるアクセス及びモビリティ管理機能ネットワーク要素又はＡＭＦの動作を実行するように構成されることが可能である。例えば：
【０１４９】
送信モジュール８０３は、第１ネットワークにおける第１ベアラに関する情報を、セッション管理機能ネットワーク要素へ送信するように構成される。受信モジュール８０１は、第２ネットワークにおける第１フローのフロー情報及び転送情報を、セッション管理機能ネットワーク要素から受信するように構成される。フロー情報はデータ転送のためのフローを示し、転送情報は、第１フローを、第１ベアラに対応するトンネルへ転送するために使用される。
【０１５０】
従って、セッション管理機能ネットワーク要素からフロー情報及び転送情報を受信した後、アクセス及びモビリティ管理機能ネットワーク要素は、フロー情報及び転送情報を、第２ネットワークのアクセス・ネットワーク・デバイスへ送信する。第２ネットワークにおけるアクセス・ネットワーク・デバイスは、フロー情報及び転送情報に基づいて、データ転送に必要なフローのみをユーザー・プレーン機能ネットワーク要素へ送信することができるので、アクセス・ネットワーク・デバイスは、全てのフローをユーザー・プレーン機能ネットワーク要素へ転送する必要はなく、それによって伝送リソースを減少させる。
【０１５１】
オプションとして、第１ネットワークにおける第１ベアラに関する情報を、セッション管理機能ネットワーク要素へ送信する前に、送信モジュール８０３は、フロー・リストを、セッション管理機能ネットワーク要素へ送信するように更に構成され、フロー・リストはフロー情報を含み；受信モジュール８０１は、データ転送のためのベアラを，セッション管理機能ネットワーク要素から学ぶように更に構成され、データ転送のためのベアラはフロー・リストにおけるフローに関連付けられ、データ転送のためのベアラは第１ベアラを含み；及び送信モジュール８０３は、データ転送のためのベアラを、第１ネットワークにおけるコア・ネットワーク制御プレーン・ネットワーク要素に指示するように更に構成される。
【０１５２】
オプションとして、第１ネットワークにおける第１ベアラに関する情報が、セッション管理機能ネットワーク要素へ送信される前に、受信モジュール８０１は、データ転送のためのベアラを、セッション管理機能ネットワーク要素から学習するように更に構成され、データ転送のためのベアラは第１ベアラを含み；及び送信モジュール８０３は、データ転送のためのベアラを、第１ネットワークにおけるコア・ネットワーク制御プレーン・ネットワーク要素に指示するように更に構成される。
【０１５３】
更に、オプションとして、送信モジュール８０３は、リクエスト・メッセージを、第１ネットワークにおけるコア・ネットワーク制御プレーン・ネットワーク要素へ送信するように構成される。リクエスト・メッセージは、第１ネットワークにおけるアクセス・ネットワーク・デバイスへ送信されるべき情報を含み、第１ネットワークにおけるアクセス・ネットワーク・デバイスへ送信されるべき情報は、データ転送のためのベアラを示す。
【０１５４】
可能な実装において、フロー情報は、第２ネットワーク内の第２フローの識別情報を更に含み、転送情報は、第１フローを第１ベアラに対応するトンネルへ転送し、第２フローを第２ベアラに対応するトンネルへ転送するために使用される。
【０１５５】
別の可能な実装において、フロー情報は更に第２ネットワーク内の第２フローの識別情報を含み、転送情報は第１転送情報及び第２転送情報を含む。第１転送情報は、第１フローを、第１ベアラに対応するトンネルへ転送するために使用され、第２転送情報は、第２フローを、第２ベアラに対応するトンネルへ転送するために使用される。
【０１５６】
更に、アクセス及びモビリティ管理機能ネットワーク要素内の受信モジュール８０１、処理モジュール８０２、及び送信モジュール８０３は、前述の方法におけるアクセス及びモビリティ管理機能ネットワーク要素又はＡＭＦの他の動作又は機能を更に実装してもよい。詳細はここでは繰り返さない。
【０１５７】
図９に示すように、アクセス・ネットワーク・デバイスは、受信モジュール９０１、処理モジュール９０２、及び送信モジュール９０３を含む可能性がある。アクセス・ネットワーク・デバイスは、図２及び図４Ａないし図６におけるアクセス・ネットワーク・デバイス又はＮＧ−ＲＡＮの動作を実行するように構成されることが可能である。例えば：
【０１５８】
受信モジュール８０１は、第２ネットワークにおける第１フローのフロー情報及び転送情報を、アクセス及びモビリティ管理機能ネットワーク要素から受信するように構成される。フロー情報はデータ転送のためのフローを示し、転送情報は、第１フローを、第１ネットワークにおける第１ベアラに対応するトンネルへ転送するために使用される。受信モジュール９０１は、第１フローを受信するように更に構成される。送信モジュール９０３は、第１フローを、フロー情報及び転送情報に基づいて、ユーザー・プレーン機能ネットワーク要素へ送信するように構成される。
【０１５９】
従って、アクセス及びモビリティ管理機能ネットワーク要素からフロー情報及び転送情報を受信した後、第２ネットワークにおけるアクセス・ネットワーク・デバイスは、フロー情報及び転送情報に基づいて、データ転送に必要なフローのみをユーザー・プレーン機能ネットワーク要素へ送信することができるので、アクセス・ネットワーク・デバイスは、全てのフローを、ユーザー・プレーン機能ネットワーク要素へ転送する必要はなく、伝送リソースを削減する。
【０１６０】
オプションとして、処理モジュール９０２は、フロー・リストを決定するように構成される。
【０１６１】
オプションとして、送信モジュール９０３は、フロー・リストを、アクセス及びモビリティ管理機能ネットワーク要素へ送信するように更に構成される。フロー・リストは、データ転送のためベアラを決定するために使用され、フロー・リストはフロー情報を含み、データ転送のためのベアラは、フロー・リスト内のフローに関連付けられ、データ転送のためのベアラは第１ベアラを含む。
【０１６２】
可能な実装において、フロー情報は、第２ネットワーク内の第２フローの識別情報を更に含み、転送情報は、第１フローを、第１ベアラに対応するトンネルへ転送し、第２フローを、第２ベアラに対応するトンネルへ転送するために使用される。
【０１６３】
別の可能な実装において、フロー情報は更に、第２ネットワーク内の第２フローの識別情報を含み、転送情報は第１転送情報及び第２転送情報を含む。第１転送情報は、第１ベアラに対応するトンネルへ第１フローを転送するために使用され、第２転送情報は、第２ベアラに対応するトンネルへ第２フローを転送するために使用される。
【０１６４】
更に、アクセス・ネットワーク・デバイス内の受信モジュール９０１、処理モジュール９０２、及び送信モジュール９０３は、前述の方法におけるアクセス・ネットワーク・デバイス又はＮＧ−ＲＡＮの他の動作又は機能を更に実装してもよい。詳細はここでは繰り返さない。
【０１６５】
本願の実施形態は、セッション管理機能ネットワーク要素、アクセス及びモビリティ管理機能ネットワーク要素、及びアクセス・ネットワーク・デバイスを含むデータ転送システムを更に開示する。システムにおける相互作用については、図２及び図４Ａないし図６の説明のうちの何れかを参照されたい。詳細はここでは繰り返さない。
【０１６６】
図１０は、前述の実施形態におけるデータ転送装置の概略的な構造図である。図１０に示すように、データ転送装置は、トランシーバ１００１及びプロセッサ１００２を含む。実施形態では、プロセッサ１００２は、前述の方法においてセッション管理機能ネットワーク要素の対応する機能を実行するように構成され、トランシーバ１００１は、セッション管理機能ネットワーク要素とアクセス及びモビリティ管理機能ネットワーク要素／ユーザー・プレーン機能ネットワーク要素との間の通信を実行するように構成される。別の実施形態では、プロセッサ１００２は、前述の方法においてアクセス及びモビリティ管理機能ネットワーク要素の対応する機能を実行するように構成され、トランシーバ１００１は、アクセス及びモビリティ管理機能ネットワーク要素と、セッション管理機能ネットワーク要素／第２ネットワークにおけるアクセス・ネットワーク・デバイス／第１ネットワークにおけるコア・ネットワーク制御プレーン・ネットワーク要素との間の通信を実行するように構成される。更に別の実施形態では、プロセッサ１００２は、前述の方法における第２ネットワークにおけるアクセス・ネットワーク・デバイスの対応する機能を処理及び実行するように構成され、トランシーバ１００１は、アクセス・ネットワーク・デバイスとアクセス及びモビリティ管理機能ネットワーク要素／ユーザー・プレーン機能ネットワーク要素との間の通信を実行するように構成される。データ転送装置はメモリ１００３を更に含んでもよい。メモリ１００３は、プロセッサ１００２に結合されるように構成され、メモリ１００３は、データ転送装置の必要なプログラム命令及びデータを記憶する。
【０１６７】
メモリ１００３は、プロセッサ１００２をトリガして前述の機能を実行するために使用されるプログラム命令を記憶することができる。プロセッサ１００２は、メモリ１００３内でプログラム命令を呼び出すことによって、前述の機能を実行することが可能である。あるいは、コンピュータ読み取り可能な記憶媒体は、プロセッサ１００２をトリガして前述の機能を実行するために使用されるプログラム命令を記憶する。プロセッサ１００２は、コンピュータ読み取り可能な記憶媒体内のプログラム命令を呼び出すことによって、前述の機能を実行することが可能である。コンピュータ読み取り可能な記憶媒体もまた、本発明の保護範囲内にある。
【０１６８】
図１０は、前述の装置の単純化された設計のみを示していることが理解され得る。実際のアプリケーションでは、前述のデバイスの各々は、任意の数の送信機、受信機、プロセッサ、コントローラ、メモリ、通信ユニット等を含むことが可能である。本願を実装することが可能な全てデバイスは、本願の保護範囲内である。
【０１６９】
本願におけるセッション管理機能ネットワーク要素を実装するように構成されたコントローラ／プロセッサは、中央処理ユニット（ＣＰＵ）、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）、又は他のプログラマブル・ロジック・デバイス、トランジスタ・ロジック・デバイス、ハードウェア・コンポーネント、又はそれらの任意の組み合わせであってもよい。コントローラ／プロセッサは、本願に開示された内容に関連して説明された種々の例示的な論理ブロック、モジュール、及び回路を実装又は実行する可能性がある。プロセッサはまた演算機能を実現する組み合わせ、例えば１つ以上のマイクロプロセッサの組み合わせ、又はＤＳＰ及びマイクロプロセッサの組み合わせであってもよい。
【０１７０】
本願に開示された内容に関連して記載される方法又はアルゴリズム・ステップは、ハードウェア方式で実装されてもよいし、又はプロセッサによりソフトウェア命令を実行する方式で実装されてもよい。ソフトウェア命令は、対応するソフトウェア・モジュールを含んでもよい。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ハードディスク、ＣＤ−ＲＯＭ、又は当技術分野でよく知られた他の任意の形態の記憶媒体に記憶される可能性がある。例示的な記憶媒体は、プロセッサが記憶媒体から情報を読み出し、記憶媒体に情報を書き込むことができるように、プロセッサに結合される。確かに、記憶媒体はプロセッサの一部であってもよい。プロセッサ及び記憶媒体は、ＡＳＩＣ内に配置されてもよい。更に、ＡＳＩＣはセッション管理機能ネットワーク要素内に配置されてもよい。確かに、プロセッサ及び記憶媒体は、セッション管理機能ネットワーク要素内で離散コンポーネントとして存在してもよい。
【０１７１】
前述の実施形態の全て又は一部は、ソフトウェア、ハードウェア、ファームウェア、又はそれらの任意の組み合わせを使用することによって実施されることが可能である。実施形態を実施するためにソフトウェアが使用される場合、実施形態は、コンピュータ・プログラム・プロダクトの形態で完全に又は部分的に実施される可能性がある。コンピュータ・プログラム・プロダクトは、１つ以上のコンピュータ命令を含む。コンピュータ・プログラム命令がロードされ、コンピュータ上で実行される場合、本発明の実施形態による手順又は機能が、全て又は部分的に生じる。コンピュータは、汎用コンピュータ、専用コンピュータ、コンピュータ・ネットワーク、又は他のプログラム可能な装置であってもよい。コンピュータ命令は、コンピュータ読み取り可能な記憶媒体に記憶されてもよいし、又はコンピュータ読み取り可能な記憶媒体から別のコンピュータ読み取り可能な記憶媒体へ伝送されてもよい。例えば、コンピュータ命令は、ウェブサイト、コンピュータ、サーバー、又はデータ・センターから、別のウェブサイト、コンピュータ、サーバー、又はデータ・センターへ、有線（例えば、同軸ケーブル、光ファイバ、又はデジタル加入者線（ＤＳＬ））又は無線（例えば、赤外線、無線、又はマイクロ波）方式で伝送されることが可能である。コンピュータ読み取り可能な記憶媒体は、コンピュータによってアクセス可能な任意の使用可能な媒体、又は１つ以上の使用可能な媒体を統合するサーバー又はデータ・センターのようなデータ記憶装置であってもよい。使用可能な媒体は、磁気媒体（例えば、フロッピー・ディスク、ハード・ディスク、又は磁気テープ）、光媒体（例えば、ＤＶＤ）、半導体媒体（例えば、ソリッド・ステート・ディスク、Ｓｏｌｉｄ  Ｓｔａｔｅ  Ｄｉｓｋ（ＳＳＤ））であってもよい。
【０１７２】
本願の目的、技術的ソリューション、及び利点は、前述の具体的な実装において更に詳細に説明されている。前述の説明は、本願の単なる具体的な実装であるに過ぎないが、本願の保護範囲を制限するようには意図されていないことが理解されるべきである。本願の技術的ソリューションに基づいて行われる何らかの修正、均等な置換又は改良は本願の保護範囲内に含まれるものとする。
【図１】
0006945080.tif 000004
【図２】
0006945080.tif 000005
【図３】
0006945080.tif 000006
【図４Ａ】
0006945080.tif 000007
【図４Ｂ】
0006945080.tif 000008
【図５】
0006945080.tif 000009
【図６】
0006945080.tif 000010
【図７】
0006945080.tif 000011
【図８】
0006945080.tif 000012
【図９】
0006945080.tif 000013
【図１０】
0006945080.tif 000014